(57)【要約】未使用の血液収容カップ（２０７）及び血液収容カップ蓋（２０６）を支持し、第１駆動力の作用で未使用の血液収容カップ（２０７）及び血液収容カップ蓋（２０６）を連動して上昇させて未使用の血液収容カップ蓋（２０６）を回転軸（１０３、８０５）に接続し、第２駆動力の作用で使用後の血液収容カップ（２０７）を連動して降下させるための血液収容カップブラケット（１０１）と、前記第２駆動力の作用で使用後の血液収容カップ蓋（２０６）を回転軸（１０３、８０５）から分離するための取り外し機構（１０２）と、回転軸（１０３、８０５）とを含む血液凝固データ検出装置、血液凝固データを検出する労力を軽減することができるその使用方法、接続部材及びブラケット（２１０１）である。【選択図】図１
2019516115.tif 000002
【特許請求の範囲】
【請求項１】
検出対象である血液を血液収容カップ及び血液収容カップ蓋により収容する血液凝固データ検出装置において、
未使用の血液収容カップ及び血液収容カップ蓋を支持し、第１駆動力の作用で前記未使用の血液収容カップ及び血液収容カップ蓋を連動して上昇させて前記未使用の血液収容カップ蓋を前記回転軸に接続し、第２駆動力の作用で使用後の血液収容カップを連動して降下させるための血液収容カップブラケットと、
前記第２駆動力の作用で使用後の血液収容カップ蓋を前記回転軸から分離するための取り外し機構と、
回転軸と、を含むことを特徴とする血液凝固データ検出装置。
【請求項２】
前記伝動機構に駆動力を提供するための動力源と、
前記動力源の駆動力の作用で前記血液収容カップブラケットに前記第１駆動力を施し、前記血液収容カップブラケットと前記取り外し機構に前記第２駆動力を施すための伝動機構と、を更に含むことを特徴とする請求項１に記載の装置。
【請求項３】
前記動力源はステッピングモーターを含み、前記伝動機構は前記ステッピングモーターに接続されたネジと、それぞれ前記血液収容カップブラケット及び前記取り外し機構に接続されたナットとを備えたガイドスクリューを含み、
前記ステッピングモーターは前記ネジを駆動して前記ネジを順方向に転動させ又は逆方向に転動させるためのものであり、前記ナットは前記ネジの転動方向により前記ネジが順方向に転動する時に前記血液収容カップブラケットに第１駆動力を施し、前記ネジが逆方向に転動する時に前記血液収容カップブラケット及び前記取り外し機構に第２駆動力を施すためのものであることを特徴とする請求項２に記載の装置。
【請求項４】
前記取り外し機構は貫通孔が設置されたシート状構造であり、
前記回転軸は前記取り外し機構の中部の貫通孔を貫通しており、且つ前記取り外し機構と接触しなく、
前記取り外し機構は、前記第２駆動力の作用で前記回転軸の端部へ運動して、締まりばめの方式により前記回転軸端部に接続された前記使用後の血液収容カップ蓋を前記回転軸から分離し、前記回転軸から分離した後の前記使用後の血液収容カップ蓋を前記使用後の血液収容カップに落下させるためのものであることを特徴とする請求項１に記載の装置。
【請求項５】
前記血液収容カップブラケットはカップ状構造であり、
前記血液収容カップブラケットは前記第１駆動力の作用で前記未使用の血液収容カップ及び血液収容カップ蓋を連動して上昇させ、前記未使用の血液収容カップ蓋が前記回転軸と接触した後設定距離上昇させ続けて、締まりばめの方式により前記未使用の血液収容カップに接続し、前記回転軸と前記未使用の血液収容カップ蓋を締まりばめの方式により接続するためのものであることを特徴とする請求項１に記載の装置。
【請求項６】
前記血液収容カップブラケットが前記使用後の血液収容カップを連動して設定距離降下させた後、前記使用後の血液収容カップの底部と接触し、前記血液収容カップブラケットが降下し続ける過程で、締まりばめの方式により接続された前記血液収容カップブラケットと前記使用後の血液収容カップを分離するための突き上げピンを更に含み、
前記カップ状構造の血液収容カップブラケットの底部には固定的に設置された前記突き上げピンを貫通させる貫通孔が設置されていることを特徴とする請求項４に記載の装置。
【請求項７】
前記宝石軸受に接続された第１ブラケットと、
それぞれ前記頂部錐体及び前記回転軸に接続された第２ブラケットと、
前記頂部錐体を支持して前記第２ブラケット及び前記回転軸が検出対象である血液の駆動で転動することを可能にするための宝石軸受と、
頂部錐体と、
回転軸と、
外部の血液収容カップ蓋と前記回転軸の接続又は分離過程で前記宝石軸受及び前記頂部錐体の位置を規制して、前記宝石軸受と前記頂部錐体を分離するためのリミット機構と、を含むことを特徴とする血液凝固データ検出装置。
【請求項８】
前記リミット機構に接続されており、前記血液収容カップ蓋と前記回転軸の接続又は分離過程で前記リミット機構を駆動するための第１駆動機構を更に含み、
前記リミット機構は、前記第１駆動機構の駆動で前記第１ブラケットを連動して運動させて、前記宝石軸受と前記頂部錐体を分離し、且つ前記宝石軸受と前記頂部錐体が分離された後前記第１ブラケットを支持するためのものであることを特徴とする請求項７に記載の装置。
【請求項９】
前記頂部錐体に接続ボルト及び第１ガイドプラットフォームが設置されており、
前記第２ブラケットに接続ナット及び第２ガイドプラットフォームが設置されており、
前記接続ボルトが前記接続ナットに係合されて前記頂部錐体と前記第２ブラケットを接続し、
前記第１ガイドプラットフォームが前記第２ガイドプラットフォームに密着して、前記頂部錐体と前記第２ブラケットの間の夾角を限定することを特徴とする請求項７に記載の装置。
【請求項１０】
外部に設置された第１支持アセンブリに固定された固定部、前記固定部に固定され、前記の外部に設置された第１支持アセンブリの１つの平面に密着している安定化プラットフォーム、及び前記固定部に固定され、前記第２固定接続部材と点接続の方式により一体に接続された接続部を備えた第１固定接続部材と、
外部に設置された第２支持アセンブリに固定的に接続された第２固定接続部材と、を含み、
外部動力の駆動で、前記の外部に設置された第１支持アセンブリが前記接続部と前記第２固定接続部材の点接続により前記の外部に設置された第２支持アセンブリに対して転動することを特徴とする接続アセンブリ。
【請求項１１】
その中の第１固定接続部材と第２固定接続部材が点接続の方式により一体に接続された請求項１０に記載の接続アセンブリと、
前記接続アセンブリにおける第１固定接続部材を固定し、その中の１つの平面が前記第１固定接続部材における安定化プラットフォームに密着している、被支持物に固定的に接続されるための第１支持アセンブリと、
前記接続アセンブリにおける第２固定接続部材を固定する第２支持アセンブリと、を含み、
前記被支持物の駆動で、前記第１支持アセンブリは前記第１固定接続部材により前記第２支持アセンブリに対して転動することを特徴とするブラケット。
【請求項１２】
前記血液収容カップに収容された血液について血液凝固分析を行うための血液凝固データ検出装置と、
被検血液を収容するための血液収容カップと、を含むことを特徴とする血液凝固データ検出システム。
【請求項１３】
前記血液収容カップは、
液体を収容するための容器と、
前記容器と接触し、前記容器に収容された液体を加熱するための少なくとも１つの加熱器と、
前記少なくとも１つの加熱器に接続されており、それぞれの加熱器の現在温度を採集し、それぞれの加熱器の現在温度と予め記憶された設定温度に基づいて前記のそれぞれの加熱器について加熱制御を行うための温度制御器と、を含むことを特徴とする、請求項１２に記載のシステム。
【請求項１４】
前記回転軸の一端に接続されており、前記回転軸を支持して前記回転軸の他端を外部の被検血液に置くためのブラケットと、
前記被検血液の駆動作用で転動する回転軸と、
前記回転軸に接続されており、前記回転軸が転動して平衡位置からずれた時に前記回転軸を前記平衡位置方向へ転動させる作用力を発生させるための位置修正装置と、を含むことを特徴とする、血液凝固データ検出装置。
【請求項１５】
前記位置修正装置は、それぞれの内環が前記回転軸の外円周面に固定的に接続され、それぞれの外環が前記ブラケットに固定的に接続された少なくとも１つのヘアスプリングを含むことを特徴とする、請求項１４に記載の装置。
【発明の詳細な説明】
【技術分野】
【０００１】
本発明は、医療機器に関し、特に、血液凝固データ検出装置、その使用方法、接続部材及びブラケットに関する。
【背景技術】
【０００２】
例えばトロンボエラストグラフのような血液凝固データ検出装置は、血液が正常に凝結できるかどうかを検出するための医療機器である。該装置は広く応用されてきている。例えば、手術をする前に一般的にはトロンボエラストグラフを用いて患者の血液凝固データを検出し、検出した血液凝固データに基づいて患者の血液凝結過程が正常であるかどうかを判断するようになっており、血液が正常に凝結できる場合でなければ患者に手術をすることができず、血液凝結過程に異常が存在すれば、手術過程で患者の血液が正常に凝結できず、止血が困難になって、患者の命をおびやかす可能性が高い。しかし、既存のトロンボエラストグラフを操作するには検出者の大量の時間を消耗する必要があって、血液凝固データを検出する労力が大きくなってしまう。
【発明の概要】
【０００３】
本発明の実施例は、血液凝固データを検出する労力を軽減することができる血液凝固データ検出装置、その使用方法、接続部材及びブラケットを提供する。
【０００４】
本発明の実施例は、検出対象である血液を血液収容カップ及び血液収容カップ蓋により収容する血液凝固データ検出装置において、
未使用の血液収容カップ及び血液収容カップ蓋を支持し、第１駆動力の作用で前記未使用の血液収容カップ及び血液収容カップ蓋を連動して上昇させて前記未使用の血液収容カップ蓋を前記回転軸に接続し、第２駆動力の作用で使用後の血液収容カップを連動して降下させるための血液収容カップブラケットと、
前記第２駆動力の作用で使用後の血液収容カップ蓋を前記回転軸から分離するための取り外し機構と、
回転軸とを含む血液凝固データ検出装置を提供する。
【０００５】
本発明の実施例は、血液収容カップブラケットが第１駆動力の作用で未使用の血液収容カップ及び血液収容カップ蓋を連動して上昇させ、血液収容カップ蓋を回転軸に接続することができ、血液凝固データを検出する前に血液収容カップの上昇及び血液収容カップ蓋の載置を自動的に完了することを実現し、血液収容カップブラケットが第２駆動力の作用で使用後の血液収容カップを連動して降下させることができ、また取り外し機構が第２駆動力の作用で使用後の血液収容カップ蓋を回転軸から分離することができ、血液凝固データを検出した後血液収容カップの降下及び血液収容カップ蓋の取り外しを自動的に完了することを実現した血液凝固データ検出装置及び血液収容カップの着脱方法を提供する。このようにして、血液凝固データを検出する過程で、血液凝固データ検出装置は、人工操作の方法の代わりに、血液収容カップの上昇と降下及び血液収容カップ蓋の載置と取り外しを自動的に完了して、血液凝固データを検出する労力を軽減した。
【図面の簡単な説明】
【０００６】
本発明の実施例又は従来の技術における技術的解決手段をより明らかに説明するために、以下、実施例又は従来の技術の記述に必要とされる図面を簡単に説明し、勿論、以下の記述中の図面は本発明のいくつかの実施例であり、当業者であれば、創造的な労働を払わずに、これらの図面に基づいて他の図面を得ることができることが明らかである。
【０００７】
【図１】本発明の一実施例で提供される血液凝固データ検出装置の模式図である。
【図２】本発明の一実施例で提供される、血液収容カップの載置を完了した状態の模式図である。
【図３】本発明の一実施例で提供される、血液収容カップの取り外しを完了した状態の模式図である。
【図４】本発明の一実施例で提供される血液収容カップブラケットの模式図である。
【図５】本発明の一実施例で提供される血液収容カップの載置方法の流れ図である。
【図６】本発明の一実施例で提供される血液収容カップの取り外し方法の流れ図である。
【図７】本発明の一実施例で提供される血液収容カップの載置と取り外し方法の流れ図である。
【図８】本発明の別の実施例で提供される血液凝固データ検出装置の模式図である。
【図９】本発明の一実施例で提供される、リミット機構が可動である血液凝固データ検出装置の模式図である。
【図１０】本発明の一実施例で提供される、リミット機構が固定された血液凝固データ検出装置の模式図である。
【図１１】本発明の一実施例で提供される取り外し機構の模式図である。
【図１２】本発明の一実施例で提供される頂部錐体及び第２ブラケットの模式図である。
【図１３】本発明の一実施例で提供される血液収容カップ蓋の着脱方法の流れ図である。
【図１４】本発明の別の実施例で提供される血液収容カップ蓋の着脱方法の流れ図である。
【図１５】本発明の一実施例で提供される接続アセンブリの構造模式図である。
【図１６】本発明の一実施例で提供される第１固定接続部材の構造模式図である。
【図１７】本発明の別の実施例で提供される接続アセンブリの構造模式図である。
【図１８】本発明の更に別の実施例で提供される接続アセンブリの構造模式図である。
【図１９】本発明の一実施例で提供されるブラケットの構造模式図である。
【図２０】本発明の別の実施例で提供されるブラケットの構造模式図である。
【図２１】本発明の更に別の実施例で提供される血液凝固データ検出装置の模式図である。
【図２２】本発明の一実施例で提供される血液凝固データ検出装置の使用方法の流れ図である。
【図２３】本発明のまた１つの実施例で提供される血液凝固データ検出装置の構造模式図である。
【図２４】本発明の別の実施例で提供される血液凝固データ検出装置の使用方法の流れ図である。
【発明を実施するための形態】
【０００８】
本発明の実施例の目的、技術的解決手段及び利点をより明らかにするために、以下、本発明の実施例中の図面を参照しながら、本発明の実施例中の技術的解決手段を明らか且つ完全に記述し、記述される実施例は、全ての実施例ではなく、本発明の一部の実施例であることが明らかである。本発明における実施例に基づいて当業者が創造的な労働を払わずに得た他の実施例は全て本発明の保護範囲に含まれる。
【０００９】
図１に示すように、本発明の実施例は、検出対象である血液を使い捨て血液収容カップ及び血液収容カップ蓋により収容する血液凝固データ検出装置において、
未使用の血液収容カップ及び血液収容カップ蓋を支持し、第１駆動力の作用で前記未使用の血液収容カップ及び血液収容カップ蓋を連動して上昇させて前記未使用の血液収容カップ蓋を前記回転軸１０３に接続し、第２駆動力の作用で使用後の血液収容カップを連動して降下させるための血液収容カップブラケット１０１と、
前記第２駆動力の作用で使用後の血液収容カップ蓋を前記回転軸１０３から分離するための取り外し機構１０２と、
回転軸１０３とを含む血液凝固データ検出装置を提供する。
【００１０】
本発明の実施例に係る血液凝固データ検出装置において、血液収容カップブラケットが第１駆動力の作用で未使用の血液収容カップ及び血液収容カップ蓋を連動して上昇させ、血液収容カップ蓋を回転軸に接続することができ、血液凝固データを検出する前に血液収容カップの上昇及び血液収容カップ蓋の載置を自動的に完了することを実現し、血液収容カップブラケットが第２駆動力の作用で使用後の血液収容カップを連動して降下させることができ、また取り外し機構が第２駆動力の作用で使用後の血液収容カップ蓋を回転軸から分離することができ、血液凝固データを検出した後血液収容カップの降下及び血液収容カップ蓋の取り外しを自動的に完了することを実現した。このようにして、血液凝固データを検出する過程で、血液凝固データ検出装置は、人工操作の方法の代わりに、血液収容カップの上昇と降下及び血液収容カップ蓋の載置と取り外しを自動的に完了して、血液凝固データを検出する労力を軽減した。
【００１１】
本発明の実施例では、血液収容カップは、例えば柱形、開口が設置された球形などの様々な形状を有してよい。
【００１２】
本発明の一実施例では、血液凝固データ検出装置は伝動機構に駆動力を提供する動力源と、動力源に提供される駆動力の作用で血液収容カップブラケットに第１駆動力を施して血液収容カップブラケットを回転軸に接続し、血液収容カップブラケットと取り外し機構ブラケットに第２駆動力を施して血液収容カップ蓋を回転軸から分離する伝動機構とを更に含んでよい。
【００１３】
具体的には、動力源はステッピングモーターであってよく、伝動機構はガイドスクリューであってよい。図２に示すように、ガイドスクリュー２０４は、ステッピングモーター２０５に接続されたネジ２０４１とそれぞれ血液収容カップブラケット１０１及び取り外し機構１０２に接続されたナット２０４２とを含む。
【００１４】
実施可能な態様において、取り外し機構１０２は貫通孔が設置されたシート状構造であり、回転軸１０３の直径が取り外し構造１０２における貫通孔の直径より小さい。取り外し機構１０２は溶接、鋲接、粘着などの方式によりナット２０４２に固定的に接続されてよい。血液収容カップブラケット１０１は直接ナット２０４２に固定的に接続され、又は連接棒によりナット２０４２に固定的に接続され、具体的な接続方式としては溶接、鋲接、粘着であってもよく、又はボルトにより接続されてもよい。血液収容カップブラケット１０１と取り外し機構１０２がいずれもナット２０４２に固定されているため、血液収容カップ２０７を血液収容カップブラケット１０１の上端開口から取り出すことができることを保証するために、血液収容カップブラケット１０１の上端開口から取り外し機構１０２までの距離を血液収容カップ２０７の高さより大きくすべきである。
【００１５】
別の実施可能な態様において、血液収容カップブラケット１０１とナット２０４２との間の接続は、血液収容カップブラケット１０１とナット２０４２を垂直方向に相対的に静止するように保持することができるが、水平方向に血液収容カップブラケット１０１がナット２０４２の回りに転動することができる。このようにして、血液収容カップ２０７と血液収容カップ蓋２０６を血液収容カップブラケット１０１に入れることが必要とされる時、血液収容カップブラケット１０１がナット２０４２の回りに一定の角度転動して、血液収容カップブラケット１０１の上端開口と取り外し機構１０２をずれさせて、血液収容カップ２０７と血液収容カップ蓋２０６を血液収容カップブラケット１０１に入れる。これに類似するように、垂直方向に取り外し機構１０２とナット２０４２を相対的に静止するように保持し、水平方向に取り外し機構１０２をナット２０４２の回りに回転可能にして、上記目的を同様に達成することができる。勿論、取り外し機構１０２及び血液収容カップブラケット１０１とナット２０４２の接続は同時に上記接続方式を採用してよい。
【００１６】
ステッピングモーター２０５の駆動で、ネジ２０４１は順方向に転動し又は逆方向に転動することができ、ネジ２０４１が順方向に転動すると、ナット２０４２がネジ２０４１の駆動で上へ運動し、それに対してナット２０４１が血液収容カップブラケット１０１及び取り外し機構１０２に第１駆動力を施して、血液収容カップブラケット１０１及び取り外し機構１０２を上へ運動させ、ネジ２０４１が逆方向に転動すると、ナット２０４２がネジ２０４１の駆動で下へ運動し、それに対してナット２０４１が血液収容カップブラケット１０１及び取り外し機構１０２に第２駆動力を施して、血液収容カップブラケット１０１及び取り外し機構１０２を下へ運動させる。
【００１７】
未使用の血液収容カップ及び血液収容カップ蓋を血液収容カップブラケットに置いた時、血液収容カップ及び血液収容カップ蓋の血液収容カップブラケットに対する位置は図３に示すようになり、ステッピングモーター２０５がネジ２０４１を駆動して順方向に転動させると、ナット２０４２が血液収容カップブラケット１０１及び取り外し機構１０２を連動して上へ運動させ、血液収容カップブラケット１０１が上へ運動して血液収容カップ蓋２０６を回転軸１０３と接触させた後、血液収容カップブラケット１０１が上へ運動し続け、回転軸１０３の位置が固定状態にあるため、回転軸１０３が血液収容カップ蓋２０６における取り付け孔に入り、回転軸１０３と血液収容カップ蓋２０６が締まりばめの方式により接続される。回転軸１０３の端部が血液収容カップ蓋２０６における取り付け孔の底部に達した後、血液収容カップブラケット１０１が上へ運動し続け、血液収容カップ２０７が血液収容カップ蓋２０６の作用で血液収容カップブラケット１０１における取り付け孔に入り、血液収容カップ２０７の上縁が血液収容カップブラケット１０１と接触すると、ステッピングモーター２０５が回転を停止して血液収容カップブラケット１０１及び取り外し機構１０２の上への運動を停止する。その後、ステッピングモーター２０５がネジ２０４１を駆動して逆方向に転動させ、それにより血液収容カップブラケット１０１が血液収容カップ２０７を連動して下へ運動させ、血液収容カップ２０７と血液収容カップ蓋２０６の間に検出対象である血液を血液収容カップ２０７に注入可能な隙間が現れた後、ステッピングモーター２０５が転動を停止し、検出対象である血液を血液収容カップ２０７に注入することを待つ。検出対象である血液を血液収容カップ２０７に注入した後、ステッピングモーター２０５がネジ２０４１を駆動して順方向に転動させて血液収容カップ２０７を上昇させ、血液収容カップ２０７と血液収容カップ蓋２０６の間の距離が設定された隙間値になると、ステッピングモーター２０５が回転を停止する。ここまでで血液収容カップ２０７及び血液収容カップ蓋２０６の載置が完了され、血液収容カップ２０７及び血液収容カップ蓋２０６と血液収容カップブラケット１０１の相対的位置関係は図２に示すようになり、この時に回転軸１０３により検出対象である血液の血液凝固データを検出することを開始可能である。
【００１８】
本発明の一実施例では、図２又は図３に示すように、取り外し機構１０２は中部に貫通孔が設置されたシート状構造であり、貫通孔の直径が回転軸１０３の直径より大きく、回転軸１０３が取り外し機構１０２の中部の貫通孔を貫通するが、貫通孔と接触しない。
【００１９】
血液凝固データ検出が完了した後、血液収容カップ及び血液収容カップ蓋と血液収容カップブラケットの相対的位置関係は図２に示すようになり、ステッピングモーター２０５がネジ２０４１を駆動して逆方向に転動させると、ナット２０４２が血液収容カップブラケット１０１及び取り外し機構１０２を連動して下へ運動させ、血液収容カップ蓋２０６が締まりばめの方式により回転軸１０３に接続され、且つ回転軸が垂直方向に固定状態にあるため、血液収容カップブラケット１０１が下へ運動すると、血液収容カップ蓋２０６が取り外し機構１０２と接触するまで検出対象である血液から脱離して血液収容カップ２０７から分離される。血液収容カップ蓋２０６が取り外し機構１０２と接触した後、ステッピングモーター２０５がネジ２０４１を駆動し続けて逆方向に転動させて、取り外し機構１０２を下へ運動させ、取り外し機構１０２が下へ運動すると、血液収容カップ蓋２０６を押し付けて下へ運動させ、最終的に血液収容カップ蓋２０６を回転軸１０３から脱離させ、回転軸１０３から分離された後の血液収容カップ蓋２０６が血液収容カップ２０７に落下する。ここまでで血液収容カップ蓋２０６の取り外しが完了した。
【００２０】
本発明の一実施例では、図２又は図３に示すように、血液収容カップブラケット１０１がカップ状構造であり、血液収容カップブラケット１０１が第１駆動力作用で一定の距離上昇した後、血液収容カップ蓋２０６が回転軸１０３と完全に接続されると、回転軸１０３の作用で血液収容カップ蓋２０６が更に運動しなくなったが、血液収容カップブラケット１０１が第１駆動力作用で上昇し続け、血液収容カップ２０７が血液収容カップブラケット１０１の作用で締まりばめの方式により血液収容カップブラケット１０１における取り付け孔に入り、血液収容カップ２０７の上縁が血液収容カップブラケット１０１と接触すると、血液収容カップ２０７が規定の位置に載置された。
【００２１】
本発明の一実施例では、図４に示すように、血液収容カップブラケット１０１の底部に貫通孔１０１１が設置され、貫通孔１０１１が固定的に設置される突き上げピン４０８を貫通させる。血液収容カップ蓋２０６が回転軸１０３から分離された後、血液収容カップ蓋２０６が血液収容カップ２０７に落下し、血液収容カップブラケット１０１が第２駆動力の作用で降下し続け、突き上げピン４０８の血液収容カップブラケット１０１に伸び込んだ長さが徐々に増加し、血液収容カップ２０７の底部が突き上げピン４０８と接触すると、突き上げピン４０８の作用で血液収容カップ２０７及び血液収容カップ蓋２０６が血液収容カップブラケット１０１に対して上へ運動し、血液収容カップ２０７が血液収容カップブラケット１０１から完全に脱離すると、第２駆動力が血液収容カップブラケット１０１を駆動することを停止し、血液収容カップブラケット１０１が運動を停止する。ここまでで血液収容カップ２０７の取り外しが完了した。
【００２２】
本発明の一実施例では、血液凝固データ検出装置は更にリミット機構を含む。血液収容カップ蓋と血液収容カップを載置する過程、又は血液収容カップ蓋を取り外す過程で、回転軸は一定の推進力又は牽引力を受けるので、回転軸に接続される軸受が力を受けて損壊されることを回避するために、血液収容カップ蓋と血液収容カップを載置する過程、又は血液収容カップ蓋を取り外す過程で、リミット機構により回転軸の位置を固定し、回転軸に接続される軸受の受ける作用力を低減する。このようにして、血液収容カップ及び血液収容カップ蓋の載置又は取り外し過程で回転軸の軸受を損壊することを防止すると共に、回転軸が変形し過ぎて血液凝固データの検出精度に影響を及ぼすことを防止することができる。
【００２３】
具体的には、リミット機構はピンを含んでよく、それに対して、回転軸に接続される第２ブラケットと第２ブラケットを支持する第１支持アセンブリに少なくとも１つのピン穴が設置される。血液収容カップと血液収容カップ蓋を載置し又は取り外す過程で、ピンが第１ブラケットと第２ブラケットにおけるピン穴に挿入されて、第１ブラケットと第２ブラケットの相対的位置を規制して、回転軸の位置を固定することを実現する。又は、リミット機構は締め具を含んでよく、回転軸が特定の位置に運動すると、締め具が回転軸を掴んで回転軸の位置を固定することができる。
【００２４】
図５に示すように、本発明の一実施例は本発明の実施例で提供されるいずれか一つの血液凝固データ検出装置に基づいて血液収容カップを載置する方法を提供し、該方法は以下ステップを含んでよい。
【００２５】
操作５０１：前記血液収容カップブラケットにより未使用の血液収容カップ及び血液収容カップ蓋を支持する。
【００２６】
ステップ５０２：第１駆動力により前記血液収容カップブラケットを駆動し、前記血液収容カップブラケットが運動して前記未使用の血液収容カップ及び血液収容カップ蓋を連動して上昇させて前記未使用の血液収容カップ蓋を前記回転軸に接続する。
【００２７】
本発明の一実施例では、ステップ５０２は、第１駆動力により前記血液収容カップブラケットを駆動し、前記血液収容カップブラケットが前記未使用の血液収容カップ及び血液収容カップ蓋を連動して上昇させ、且つ前記未使用の血液収容カップ蓋が前記回転軸と接触した後設定距離上昇させ続け、締まりばめの方式により前記未使用の血液収容カップに接続し、締まりばめの方式により前記回転軸を前記未使用の血液収容カップ蓋に接続するステップを含む。
【００２８】
図６に示すように、本発明の一実施例は本発明の実施例で提供されるいずれか一つの血液凝固データ検出装置に基づいて血液収容カップを取り外す方法を提供し、該方法は以下の操作を含んでよい。
【００２９】
操作６０１：第２駆動力により前記血液収容カップブラケットを駆動し、前記血液収容カップブラケットが前記使用後の血液収容カップを連動して降下させる。
【００３０】
操作６０２：前記第２駆動力により前記取り外し機構を駆動し、前記取り外し機構が運動して前記使用後の血液収容カップ蓋を前記回転軸から分離する。
【００３１】
本発明の一実施例では、操作６０２は、前記第２駆動力により前記取り外し機構を駆動して前記回転軸の端部へ運動させ、前記取り外し機構が締まりばめの方式により前記回転軸端部に接続された前記使用後の血液収容カップ蓋を前記回転軸から分離し、且つ前記回転軸から分離された後の前記使用後の血液収容カップ蓋を前記使用後の血液収容カップに落下させるステップを含む。
【００３２】
本発明の一実施例では、血液凝固データ検出装置が突き上げピンを含む場合に、血液収容カップブラケットが運動して前記使用後の血液収容カップを連動して降下させる操作６０１は、前記血液収容カップブラケットが前記使用後の血液収容カップを連動して設定距離降下させた後、前記突き上げピンが前記使用後の血液収容カップの底部と接触し、前記血液収容カップブラケットが降下し続ける過程で突き上げピンが締まりばめの方式によりに接続された前記血液収容カップブラケット及び前記使用後の血液収容カップを分離するステップを含む。
【００３３】
血液収容カップの載置及び取り外し方法をより明らかに説明するために、以下、図２〜図４を参照しながら血液凝固データ検出の全過程を例として本発明の実施例で提供される血液収容カップの着脱方法を更に詳細に説明する。
【００３４】
図７に示すように、本発明の一実施例は血液凝固データの検出方法を提供し、該方法は以下の操作を含む。
【００３５】
操作７０１：血液収容カップ及び血液収容カップ蓋を血液収容カップブラケットに置く。
【００３６】
本発明の一実施例では、検出対象である血液の血液凝固データを検出することが必要とされる時に、未使用の血液収容カップ蓋を未使用の血液収容カップにかけ、蓋付きの血液収容カップを血液収容カップブラケットに置く。
【００３７】
図３に示すように、血液収容カップ蓋２０６を血液収容カップ２０７にかけた後、血液収容カップ蓋２０６付きの血液収容カップ２０７を血液収容カップブラケット１０１に置き、ここで血液収容カップ２０７の底部が血液収容カップブラケット１０１における取り付け孔の開口に位置する。
【００３８】
操作７０２：血液収容カップ蓋を回転軸に載置する。
【００３９】
本発明の一実施例では、第１駆動力により血液収容カップブラケットを駆動して血液収容カップブラケットを上昇させ、血液収容カップブラケットが上昇して血液収容カップ及び血液収容カップ蓋を連動して上昇させ、血液収容カップ蓋が回転軸と接触した後、血液収容カップブラケットが血液収容カップ及び血液収容カップ蓋を連動して上昇させ続け、固定状態にある回転軸が血液収容カップ蓋における取り付け孔に入り、回転軸を締まりばめの方式により血液収容カップ蓋に接続し、血液収容カップブラケットが上昇し続け、回転軸の端部が血液収容カップ蓋における取り付け孔の底部に達すると、血液収容カップ蓋の載置が完了した。
【００４０】
図３に示すように、ステッピングモーター２０５がネジ２０４１を駆動して順方向に転動させ、ネジ２０４１が順方向に転動してナット２０４２を駆動して上昇させ、血液収容カップブラケット１０１がナット２０４２に連動されて上へ運動し、回転軸１０３の端部が血液収容カップ蓋２０６における取り付け孔の底部に達するまで血液収容カップブラケット１０１が上昇して血液収容カップ２０７及び血液収容カップ蓋２０６を連動して上へ運動させ、締まりばめの方式により血液収容カップ蓋２０６を回転軸１０３に接続する。
【００４１】
操作７０３：血液収容カップを血液収容カップブラケットに載置する。
【００４２】
本発明の一実施例では、血液収容カップ蓋を回転軸に載置した後、血液収容カップブラケットが第１駆動力の作用で上昇し続け、血液収容カップ蓋が回転軸の作用で上へ運動し続けることができなくなったため、血液収容カップが血液収容カップ蓋及び血液収容カップブラケットの作用で血液収容カップブラケットにおける取り付け孔に入り、血液収容カップブラケットが上昇し続け、血液収容カップの上縁が血液収容カップブラケットと接触すると、血液収容カップブラケットが運動を停止する。このようにして、締まりばめの方式により血液収容カップを血液収容カップブラケットに載置する。
【００４３】
図３に示すように、締まりばめの方式により血液収容カップ蓋２０６を回転軸１０３に載置した後、血液収容カップ蓋２０６が回転軸１０３の作用で上へ運動し続けることができなくなったため、ステッピングモーター２０５が血液収容カップブラケット１０１を駆動し続けて上昇させ、血液収容カップ２０７が血液収容カップブラケット１０１及び血液収容カップ蓋２０６の共同作用で血液収容カップブラケット１０１における取り付け孔に入り、血液収容カップ２０７の上縁が血液収容カップブラケット１０１と接触すると、ステッピングモーター２０５が回転を停止し、血液収容カップ２０７の載置が完了した。
【００４４】
操作７０４：血液収容カップに検出対象である血液を注入する。
【００４５】
本発明の一実施例では、血液収容カップ蓋及び血液収容カップの載置を完了した後、第２駆動力により血液収容カップブラケットを駆動し、血液収容カップブラケットが血液収容カップを連動して下へ一定の距離運動させて、血液収容カップと血液収容カップ蓋の間に検出対象である血液を血液収容カップに注入可能な隙間を形成させ、血液収容カップと血液収容カップ蓋の間の隙間により検出対象である血液及び対応する試薬を血液収容カップに加え、第１駆動力により血液収容カップブラケットを駆動して上昇させ、血液収容カップが血液収容カップブラケットに連動されて上昇し、血液収容カップと血液収容カップ蓋の間の隙間が設定値になると、血液収容カップが運動を停止し、ここまでで血液収容カップ及び血液収容カップ蓋の位置が検出位置に達した。
【００４６】
図３に示すように、血液収容カップ２０７を血液収容カップブラケット１０１に載置した後、ステッピングモーター２０５がネジ２０４１を駆動して逆方向に転動させ、それによりナット２０４２が血液収容カップブラケット１０１を連動して下へ一定の距離、例えば１０ｍｍ運動させ、この時に血液収容カップ２０７と血液収容カップ蓋２０６の間に１０ｍｍの幅の隙間が形成され、この隙間により検出対象である血液及び対応する試薬を血液収容カップ２０７に注入し、続いてステッピングモーター２０５がネジ２０４１を駆動して順方向に転動させ、それによりナット２０４２が血液収容カップブラケット１０１を連動して上へ一定の距離、例えば５ｍｍ運動させ、この時に血液収容カップ２０７と血液収容カップ蓋２０６の間に５ｍｍの隙間が残され、図２に示すような状態になり、この時に血液収容カップ２０７及び血液収容カップ蓋２０６の位置が検出位置に達しており、検出対象である血液の血液凝固データの検出を開始することが可能になった。
【００４７】
操作７０５：検出対象である血液の血液凝固データを検出する。
【００４８】
本発明の一実施例では、図２に示すように、血液収容カップブラケット１０１により血液収容カップ２０７を駆動して、血液収容カップ２０７を時計方向と反時計方向に交替して回転させ、血液収容カップ２０７における血液が血液収容カップ蓋２０６と回転軸１０３を連動して対応する方向へ転動させ、回転軸１０３の転動角度に基づいて検出対象である血液の血液凝固データを取得する。
【００４９】
操作７０６：血液収容カップ蓋を取り外す。
【００５０】
本発明の一実施例では、検出対象である血液の血液凝固データの検出が完了した後、第２駆動力により取り外し機構を駆動して降下させ、血液収容カップ蓋が回転軸に接続されているため、取り外し機構が降下する過程で血液収容カップ蓋に下向きの作用力を施し、血液収容カップ蓋が取り外し機構の作用力に駆動されて下へ運動し、最終的に回転軸から脱離し、血液収容カップ蓋が回転軸から分離された後血液収容カップに落下する。
【００５１】
図２に示すように、検出対象である血液の血液凝固データの検出が完了した後、ステッピングモーター２０５がネジ２０４１を駆動して逆方向に転動させ、それによりナット２０４２が血液収容カップブラケット１０１及び取り外し機構１０２を連動して下へ運動させ、取り外し機構１０２が一定の距離降下した後血液収容カップ蓋２０６と接触し、血液収容カップ蓋２０６が回転軸１０３から脱離するまで取り外し機構１０２が降下し続けて血液収容カップ蓋２０６を押し付けて下へ運動させ、血液収容カップ蓋２０６が回転軸１０３から分離された後血液収容カップ２０７に落下し、ここまでで血液収容カップ蓋２０６の取り外しが完了した。
【００５２】
操作７０７：血液収容カップを取り外す。
【００５３】
本発明の一実施例では、血液収容カップブラケットが第２駆動力の作用で下へ運動し続け、血液収容カップブラケットの底部の貫通孔から伸び込んだ突き上げピンが血液収容カップの底部と接触した後、血液収容カップブラケットが降下するに伴って突き上げピンが血液収容カップを血液収容カップブラケットにおける取り付け孔から突き上げ、ここまでで血液収容カップの取り外しが完了した。
【００５４】
図４に示すように、血液収容カップブラケット１０１がナットに連動されて降下し続け、一定の距離降下した後血液収容カップ２０７の底部が貫通孔１０１１から伸び込んだ突き上げピン４０８と接触し、血液収容カップブラケット１０１が降下し続ける過程で、突き上げピン４０８が血液収容カップ２０７を血液収容カップブラケット１０１における取り付け孔から突き上げ、血液収容カップ２０７の取り外しが完了した。
【００５５】
操作７０８：血液収容カップ及び血液収容カップ蓋を血液収容カップブラケットから移す。
【００５６】
本発明の一実施例では、血液収容カップ及び血液収容カップ蓋の取り外しを完了した後、血液収容カップ蓋が回転軸から脱離し、血液収容カップと血液収容カップブラケットの間が締め付けて接続されておらず、血液収容カップ及び血液収容カップ蓋を直接血液収容カップブラケットから移し、血液凝固データ検出が完了した。
【００５７】
本発明の方法の実施例では、未使用と使用後の血液収容カップ及び血液収容カップ蓋は血液収容カップと血液収容カップ蓋と総称されており、ここで、未使用の血液収容カップと血液収容カップ蓋とは検出対象である血液の血液凝固データを検出する前の血液収容カップと血液収容カップ蓋を指し、使用後の血液収容カップと血液収容カップ蓋とは検出対象である血液の血液凝固データを検出した後の血液収容カップと血液収容カップ蓋を指すことを説明する必要がある。
【００５８】
図８に示すように、本発明の実施例は、
前記宝石軸受８０３に接続された第１ブラケット８０１と、
それぞれ前記頂部錐体８０４及び前記回転軸８０５に接続された第２ブラケット８０２と、
前記頂部錐体８０４を支持して前記第２ブラケット８０２及び前記回転軸８０５を検出対象である血液の駆動で転動可能にするための宝石軸受８０３と、
頂部錐体８０４、回転軸８０５と、
外部の血液収容カップ蓋と前記回転軸８０５の接続又は分離過程で、前記第１ブラケット８０１の位置を規制して前記宝石軸受８０３を前記頂部錐体８０４から分離するためのリミット機構８０６とを含む血液凝固データ検出装置を提供する。
【００５９】
本発明の実施例で提供される血液凝固データ検出装置において、宝石軸受が第１ブラケットに接続され、頂部錐体及び回転軸がいずれも第２ブラケットに接続され、第１ブラケットが一体に係合された宝石軸受と頂部錐体により第２ブラケット及び回転軸を支持するようになっており、血液収容カップ蓋を回転軸に接続し又は血液収容カップ蓋を回転軸から分離することが必要とされる時に、リミット機構により宝石軸受及び頂部錐体の位置を規制して宝石軸受を頂部錐体から分離し、続いて血液収容カップ蓋を回転軸に接続し又は血液収容カップ蓋を回転軸から分離する。このようにして、血液収容カップ蓋と回転軸の接続又は分離の過程で、宝石軸受が頂部錐体と接触せず、回転軸受の受けた力が宝石軸受に作用することがなく、宝石軸受が血液収容カップ蓋と回転軸の接続又は分離過程で損壊されることを回避して、宝石軸受が損壊されるリスクを軽減した。
【００６０】
本発明の一実施例では、図９に示すように、血液凝固データ検出装置は、リミット機構８０６に接続される第１駆動機構９０７を含んでよく、第１ブラケット８０１が宝石軸受８０３に接続され、且つ第１ブラケット８０１の位置が固定されており、第２ブラケット８０２がそれぞれ頂部錐体８０４及び回転軸８０５に接続されており、宝石軸受８０３が垂直方向に頂部錐体８０４を支持可能であって、回転軸８０５を小さい摩擦力を受けた場合に転動させる。
【００６１】
具体的には、リミット機構８０６は貫通孔が設置されたシート状構造であり、回転軸８０５の直径がリミット機構８０６における貫通孔の直径より小さい。リミット機構８０６が駆動機構に連動されて運動することが可能になった場合に、図９に示すように、リミット機構８０６は第２ブラケット８０２と接触し且つ回転軸８０５を連動して上昇させ、一定の距離上昇した後運動を停止し、第２ブラケット８０２を支持し、回転軸８０５の位置を固定する作用を果たすことができ、この時に回転軸８０と血液収容カップ蓋を分離することができる。リミット機構８０６が駆動機構に連動されて相対的に運動することができない場合に、図１０に示すように、第２ブラケット８０２が一定の距離降下した後リミット機構８０６と接触し、リミット機構８０６に支持されて第２支持８０２が降下し続けることができなくなり、また、回転軸８０５が第２ブラケット８０６に固定されているため、リミット機構８０６が回転軸８０５の位置を固定する作用を達成することができ、この時に回転軸８０５と血液収容カップ蓋を分離することができる。
【００６２】
血液収容カップ蓋を回転軸８０５に取り付け又は血液収容カップ蓋を回転軸８０５から取り外すことが必要とされる時に、第１駆動機構９０７がリミット機構８０６を駆動し、リミット機構８０６が第１駆動機構９０７の駆動で第２ブラケット８０２を連動して上へ運動させ、第２ブラケット８０２が上へ運動すると同時に頂部錐体８０４及び回転軸８０５を連動して上へ運動させて、第１ブラケット８０１に接続された宝石軸受８０３を第２ブラケット８０２に接続された頂部錐体８０４から分離し、宝石軸受８０３と頂部錐体８０４が分離された後、リミット機構８０６が第２ブラケット８０２、頂部錐体８０４及び回転軸８０５を支持する。
【００６３】
血液収容カップ蓋を回転軸８０５に取り付ける時に、血液収容カップ蓋が回転軸８０５を押し付けて上へ運動させ、回転軸８０５が上へ運動して第２ブラケット８０２及び頂部錐体８０４を連動して上昇させ続け、第１ブラケット８０１が第２ブラケット８０２と直接接触すると、第２ブラケット８０２及び回転軸８０５が第１ブラケット８０１の作用で運動を停止し、血液収容カップ蓋が上昇し続け、締まりばめの方式により回転軸に接続される。血液収容カップ蓋の取り付け過程で宝石軸受８０３が頂部錐体８０４と接触せず、血液収容カップ蓋の取り付け過程で発生する力又は衝撃による宝石軸受８０３の損壊を防止した。
【００６４】
血液収容カップ蓋を回転軸８０５から取り外す時に、血液収容カップ蓋が下向きの作用力を受けることになり、血液収容カップ蓋と回転軸８０５の間が締まりばめの方式により接続されているため、回転軸８０５が同様に下向きの作用力を受けることになり、しかし、リミット機構８０６が第２ブラケット８０２、頂部錐体８０４及び回転軸８０５を支持するため、回転軸８０５が運動することがなく、血液収容カップ蓋が下向きの作用力の作用で回転軸８０５に対して相対的に変位し、それにより血液収容カップ蓋と回転軸８０５の分離が実現される。血液収容カップ蓋を回転軸８０５から取り外す過程で、リミット機構８０６が早めに頂部錐体８０４を連動して宝石軸受８０３から分離させ、血液収容カップ蓋を回転軸８０５から取り外す過程で、リミット機構８０６が第２ブラケット８０２を支持し、宝石軸受８０３と頂部錐体８０４の相対的位置が変化しないため、血液収容カップ蓋を回転軸８０５から取り外す過程で宝石軸受８０３が頂部錐体８０４と接触せず、血液収容カップ蓋の取り外し過程で発生する作用力又は衝撃による宝石軸受８０３の損壊を防止した。ここで、第１駆動機構９０７はガイドスクリューにより実現可能である。
【００６５】
本発明の一実施例では、図１０に示すように、血液凝固データ検出装置は、第１ブラケット８０１に接続される第２駆動機構１００８を含んでよく、リミット機構８０６が第１ブラケット８０１及び第２ブラケット８０２に対して固定的に設置されており、第１ブラケット８０１が宝石軸受８０３に接続され、且つ第１ブラケット８０１の位置が固定されており、第２ブラケット８０２がそれぞれ頂部錐体８０４及び回転軸８０５に接続されており、宝石軸受８０３が垂直方向に頂部錐体８０４を支持して、回転軸８０５を小さい摩擦力を受けた場合に転動させることができる。
【００６６】
血液収容カップ蓋を回転軸８０５に取り付け又は血液収容カップ蓋を回転軸８０５から取り外すことが必要とされる時に、第２駆動機構１００８が第１ブラケット８０１を駆動して第１ブラケット８０１の高さを降下させ、第１ブラケット８０１が降下し始めると、第２ブラケット８０２が第１ブラケット８０１に伴って降下し、第２ブラケット８０２が一定の距離降下した後リミット機構８０６と接触し、リミット機構８０６の支持で第２ブラケット８０２が降下を停止するが、第１ブラケット８０１が第２駆動機構１００８の作用で降下し続けて、宝石軸受８０３と頂部錐体８０４を分離し、宝石軸受８０３と頂部錐体８０４が分離された後、第２駆動機構１００８が第１ブラケット８０１への駆動を停止し、且つ第１ブラケット８０１を支持して第１ブラケット８０１を現在位置に保持する。
【００６７】
血液収容カップ蓋を回転軸８０５に取り付ける時に、血液収容カップ蓋が上向きの作用力を受けることになり、血液収容カップ蓋と回転軸８０５の間が締まりばめの方式により接続されているため、血液収容カップ蓋が回転軸８０５と接触すると、回転軸８０５が血液収容カップ蓋からの上向きの作用力をも受け、第１ブラケット８０１が第２ブラケット８０２と直接接触するまで回転軸８０５が該上向きの作用力の駆動で第２ブラケット８０２及び頂部錐体８０４を連動して上へ運動させる。第１ブラケット８０１が第２駆動機構１００８に支持されて固定状態となり、第２ブラケット８０２が第１ブラケット８０１と接触すると、第２ブラケット８０２及び回転軸８０５が第１ブラケット８０１の作用で運動を停止し、血液収容カップ蓋が上向きの作用力の作用で回転軸８０５に対して相対的に運動し、締まりばめの方式により回転軸８０５に接続され、血液収容カップ蓋の取り付けが完了した。血液収容カップ蓋を取り付ける前に、第２駆動装置１００８がすでに第１ブラケット８０１を連動して運動させて宝石軸受８０３と頂部錐体８０４を分離したので、血液収容カップ蓋を取り付ける過程で第２駆動装置１００８が第１ブラケット８０１を支持し、宝石軸受８０３の位置が変化しないことを保証し、第２ブラケット８０２が回転軸８０５の駆動で頂部錐体向を連動して宝石軸受８０３から離れた方向へ運動させ、このようにして血液収容カップ蓋の取り付け過程で宝石軸受８０３が頂部錐体８０４と接触せず、血液収容カップ蓋の取り付け過程で発生する作用力又は衝撃による宝石軸受８０３の損壊を防止した。
【００６８】
血液収容カップ蓋を回転軸８０５から取り外す時に、血液収容カップ蓋が下向きの作用力を受けることになり、血液収容カップ蓋と回転軸８０５の間が締まりばめの方式により接続されているため、回転軸８０５が下向きの作用力をも受けることになるが、第２駆動機構１００８が第１ブラケット８０１を支持し、第１ブラケット８０１の位置を固定するため、宝石軸受８０３の位置が変化しないことを保証しており、また、第２ブラケット８０２がリミット機構８０６の支持で固定状態となり、頂部錐体８０４の位置が変化しないことを保証しており、それにより宝石軸受８０３が頂部錐体８０４と接触しないことを保証する。回転軸８０５が第２駆動機構１００８の支持で運動しないため、血液収容カップ蓋は下向きの作用力の駆動で回転軸８０５に対して下へ運動し、回転軸８０５から取り外されて、血液収容カップ蓋と回転軸８０５の分離が実現される。血液収容カップ蓋を取り外す全過程で宝石軸受８０３が頂部錐体８０４と接触せず、宝石軸受８０３と頂部錐体８０４の間に作用力がないため、血液収容カップ蓋の取り外し過程で発生する作用力又は衝撃による宝石軸受８０３の損壊を防止した。
【００６９】
ここで、第２駆動機構１００８はガイドスクリューにより実現可能である。
【００７０】
本発明の一実施例では、血液凝固データ検出装置は、中部に貫通孔が設置される取り外し機構を更に含んでよく、回転軸が取り外し機構の中部の貫通孔を貫通し、且つ回転軸が取り外し機構と接触しない。取り外し機構は駆動力の作用で回転軸の端部へ運動して、回転軸端部に接続された血液収容カップ蓋を連動して回転軸に対して相対的に運動させて、血液収容カップ蓋を回転軸から脱離させて、血液収容カップ蓋を回転軸から分離することができる。このようにして取り外し機構により血液収容カップ蓋と回転軸の分離を自動的に完了することができ、手動操作の方法により血液収容カップ蓋と回転軸を分離する必要がなく、血液凝固データ検出過程での検出者の労力を軽減した。
【００７１】
図１１に示すように、血液収容カップ蓋１１１０が締まりばめの方式により回転軸８０５の端部に接続されており、血液収容カップ蓋１１１０を回転軸８０５から分離することが必要とされる時に、駆動力により取り外し機構１１０９を駆動して取り外し機構１１０９を下へ運動させ、取り外し機構１１０９が血液収容カップ蓋１１１０と接触すると、血液収容カップ蓋１１１０が下向きの作用力を受けることになるが、回転軸８０５が第２ブラケットの作用で固定状態となり、血液収容カップ蓋１１１０が下向きの作用力の駆動で回転軸８０５に対して下へ運動して、血液収容カップ蓋１１１０を回転軸８０５から脱離させ、血液収容カップ蓋１１１０と回転軸８０５の分離を実現することができる。ここで取り外し機構１１０９はステッピングモーターなどの設備により駆動可能であり、血液収容カップ蓋１１１０と回転軸８０５の分離の自動化を実現しており、手動操作の方法により血液収容カップ蓋と回転軸を分離する必要がなく、血液凝固データ検出過程での検出者の労力を軽減した。
【００７２】
本発明の一実施例では、図１２に示すように、頂部錐体８０４に接続ボルト８０４１と第１ガイドプラットフォーム８０４２が設置され、第２ブラケット８０２に接続ナット８０２１と第２ガイドプラットフォーム８０２２が設置されており、接続ボルト８０４１が接続ナット８０２１に係合されて頂部錐体８０４を第２ブラケット８０２に接続し、接続ボルト８０４１が接続ナット８０２１に係合された後、第１ガイドプラットフォーム８０４２が第２ガイドプラットフォーム８０２２に密着するようになって頂部錐体８０４と第２ブラケット８０２の夾角を限定する。
【００７３】
ネジ接続の間に一定の隙間が存在するため、単純にネジ接続により第２ブラケット８０２を頂部錐体８０４に接続すれば、頂部錐体８０４と第２ブラケット８０２の相対的位置に一定の誤差が存在して、頂部錐体８０４と第２ブラケット８０２の間の夾角が９０°でなくなり、頂部錐体８０４と第２ブラケット８０２の間の夾角が９０°でない場合に、頂部錐体８０４により支持される回転軸の軸線は垂直方向に対してゼロでない夾角が存在し、このようにして回転軸の受ける駆動力と摩擦力が変化して、更に回転軸転動角度に基づいて確定される血液凝固データに大きい誤差が存在するようになる。
【００７４】
第１ガイドプラットフォーム８０４２と第２ガイドプラットフォーム８０２２を設置することにより、接続ボルト８０４１が接続ナット８０２１に係合された後、第１ガイドプラットフォーム８０４２と第２ガイドプラットフォーム８０２２が相互に密着するようになり、第１ガイドプラットフォーム８０４２と第２ガイドプラットフォーム８０２２を仕上げ加工することで、第１ガイドプラットフォーム８０４２と第２ガイドプラットフォーム８０２２の平坦度を保証し、第１ガイドプラットフォーム８０４２と第２ガイドプラットフォーム８０２２が相互に密着した後頂部錐体８０４と第２ブラケット８０２の間の夾角が９０°であることを保証することができ、それにより回転軸の軸線と垂直方向の夾角がゼロとなり、血液凝固データ検出装置により血液凝固データを検出する正確性を保証する。
【００７５】
本発明の一実施例では、血液凝固データ検出装置は、更に第１ブラケットに接続される第１磁石と、第２ブラケットに接続される第２磁石とを含んでよく、第１磁石と第２磁石の位置が対応し且つ同性磁極が対向している。第１磁石と第２磁石の位置が対応し且つ同性磁極が対向しているため、第１磁石と第２磁石の間には頂部錐体が宝石軸受に与える圧力を低減する斥力が発生し、頂部錐体が宝石軸受に与える圧力が低減された時、頂部錐体と宝石軸受の間の摩擦力を低減することができ、頂部錐体と宝石軸受の間の摩擦力の低減により回転軸が転動する過程で受ける抵抗を低減することができ、回転軸の転動角度が検出対象である血液の粘度をより正確に体現することができ、更に血液凝固データ検出装置により血液凝固データを検出する正確性を高めた。
【００７６】
本発明の実施例で提供される血液凝固データ検出装置は、宝石軸受と頂部錐体の分離を実現して、宝石軸受又は頂部錐体の損壊を回避することができることを説明する必要がある。該分離過程は血液収容カップ蓋の着脱過程で発生してもよく、血液凝固データ検出装置を搬送する過程で発生してもよく、それにより血液凝固データ検出装置の搬送過程で回転軸が揺れて宝石軸受又は頂部錐体を損壊することを防止し、血液凝固データ検出装置の安全性を全体的に高めた。
【００７７】
図１３に示すように、本発明の一実施例は、本発明の実施例で提供されるいずれか一つの血液凝固データ検出装置に基づいて血液収容カップ蓋を着脱させる方法を提供し、該方法は以下の操作を含む。
【００７８】
操作１３０１：前記リミット機構により前記宝石軸受及び前記頂部錐体の位置を規制して前記宝石軸受と前記頂部錐体を分離する。
【００７９】
操作１３０２：前記血液収容カップ蓋を前記回転軸に接続し又は分離する。
【００８０】
本発明の一実施例では、前記血液凝固データ検出装置が第１駆動機構を含む場合に、
前記リミット機構により前記第１ブラケットの位置を規制して前記宝石軸受と前記頂部錐体を分離する前記ステップは、
前記第１駆動機構により前記リミット機構を駆動し、前記リミット機構が前記第１ブラケットを連動して運動させて前記宝石軸受と前記頂部錐体を分離するステップを含み、
前記宝石軸受と前記頂部錐体を分離する前記ステップの後、更に、
前記リミット機構により前記第１ブラケットを支持するステップを含む。
【００８１】
本発明の一実施例では、前記血液凝固データ検出装置が第２駆動機構を含む場合に、
前記リミット機構により前記第１ブラケットの位置を規制して前記宝石軸受と前記頂部錐体を分離する前記ステップは、
前記第２駆動機構により前記第１ブラケットを駆動して前記第１ブラケットの高さを降下させ、前記第１ブラケットが降下する過程で前記リミット機構により前記第２ブラケットの位置を規制して前記宝石軸受と前記頂部錐体を分離するステップを含み、
前記宝石軸受と前記頂部錐体を分離する前記ステップの後、更に、
前記第２駆動機構により前記第１ブラケットを支持するステップを含む。
【００８２】
本発明の一実施例では、前記血液凝固データ検出装置が前記取り外し機構を含む場合に、
前記血液収容カップ蓋を前記回転軸から分離する前記ステップは、
駆動力の作用により取り外し機構を前記回転軸の端部へ運動させ、前記取り外し機構が前記回転軸端部に接続された前記血液収容カップ蓋を連動して前記回転軸に対して運動させて、前記血液収容カップ蓋を前記回転軸から脱離させて、前記血液収容カップ蓋を前記回転軸から分離するステップを含む。
【００８３】
本発明で提供される血液収容カップ蓋の着脱方法をより明らかにするために、以下、図２及び図３に示す血液凝固データ検出装置に基づいて血液収容カップ蓋の着脱方法を更に詳細に説明する。
【００８４】
図１４に示すように、本発明の一実施例は血液収容カップ蓋の着脱方法を提供し、該方法は以下の操作を含む。
【００８５】
操作１４０１：宝石軸受と頂部錐体を分離する。
【００８６】
本発明の一実施例では、血液収容カップ蓋を取り付ける前に、まずリミット機構により宝石軸受及び頂部錐体の位置を規制して宝石軸受と頂部錐体を分離し、血液収容カップ蓋を取り付ける過程で宝石軸受及び頂部錐体を損壊することを防止する。
【００８７】
例えば、図９に示すように、血液収容カップ蓋を回転軸８０５に接続する前に、第１駆動機構２０７によりリミット機構８０６を駆動してリミット機構８０６を上昇させ、リミット機構８０６が上昇すると、第２ブラケット８０２、頂部錐体８０４及び回転軸８０５を連動して上昇させて宝石軸受８０３と頂部錐体８０４を分離し、リミット機構８０６が一定の距離上昇した後運動を停止し、第２ブラケット８０２、頂部錐体８０４及び回転軸８０５を支持する。
【００８８】
また、例えば、図１０に示すように、血液収容カップ蓋を回転軸８０５に接続する前に、第２駆動機構３０８により第１ブラケット８０１を駆動して第１ブラケット８０１を降下させ、第１ブラケット８０１が降下し始めると、第２ブラケット８０２が第１ブラケット８０１に伴って降下し、第２ブラケット８０２が一定の距離降下した後固定的に設置されたリミット機構８０６と接触し、リミット機構８０６の支持で第２ブラケット８０２が降下を停止するが、第１ブラケット８０１が第２駆動機構１００８の作用で降下し続けて宝石軸受８０３と頂部錐体８０４を分離し、宝石軸受８０３と頂部錐体８０４が分離された後、第１ブラケット８０１が所定の距離降下し続けた後運動を停止し、第２駆動機構１００８が第１ブラケット８０１及び宝石軸受８０３を支持し、リミット機構８０６が第２ブラケット８０２、頂部錐体８０４及び回転軸８０５を支持する。
【００８９】
操作１４０２：血液収容カップ蓋を回転軸に載置する。
【００９０】
本発明の一実施例では、宝石軸受と頂部錐体を分離した後、血液収容カップ蓋の取り付け孔を回転軸の端部と接触させ、血液収容カップ蓋に上向きの作用力を施し、血液収容カップ蓋が該作用力の駆動力で回転軸に対して相対的に運動して、回転軸の端部が血液収容カップ蓋における取り付け孔に入り、締まりばめの方式により血液収容カップ蓋を回転軸に接続する。
【００９１】
例えば、図９又は図１０に示すように、宝石軸受８０３と頂部錐体８０４が分離された後、血液収容カップ蓋の取り付け孔を回転軸８０５の下部端部と接触させ、血液収容カップ蓋に上向きの作用力を施し、該作用力が血液収容カップ蓋を介して回転軸８０５に伝達され、第２ブラケット８０２が固定的に設置された第１ブラケット８０１と直接接触するまで回転軸８０５が作用力の駆動で第２ブラケット８０２及び頂部錐体８０４を連動して運動させ、第２ブラケット８０２が第１ブラケット８０１と接触すると、第２ブラケット８０２及び回転軸８０５が第１ブラケット８０１の作用で上へ運動し続けることができなくなり、この時に血液収容カップ蓋が上向きの作用力の駆動で回転軸８０５に対して相対的に運動し、回転軸８０５の下端部が血液収容カップ蓋における取り付け孔に入り、締まりばめの方式により回転軸８０５を血液収容カップ蓋に接続する。
【００９２】
操作１４０３：宝石軸受を頂部錐体と接触させ、検出対象である血液の血液凝固データの検出を開始する。
【００９３】
本発明の一実施例では、血液収容カップ蓋を回転軸に取り付けた後、リミット機構により改めて宝石軸受及び頂部錐体の位置を規制し、宝石軸受を頂部錐体と接触させ、頂部錐体により第２ブラケット及び回転軸を支持する。血液収容カップ蓋を血液収容カップに置き、血液収容カップ蓋が血液収容カップ中の検出対象である血液に駆動されて回転軸を連動して転動させ、回転軸の転動角度に基づいて検出対象である血液の血液凝固データを取得する。
【００９４】
例えば、図９に示すように、血液収容カップ蓋を回転軸８０５に接続した後、第１駆動機構９０７によりリミット機構８０６を駆動してリミット機構８０６を降下させ、リミット機構８０６が降下する過程で第２ブラケット８０２、頂部錐体８０４及び回転軸８０５がリミット機構８０６に伴って降下し、頂部錐体８０４が宝石軸受８０３と接触した後、リミット機構８０６が所定の距離降下し続けて第２ブラケット８０２から分離される。リミット機構８０６と第２ブラケット８０２が分離された後、第２ブラケット８０２及び回転軸８０５が頂部錐体８０４により支持されるようになり、血液収容カップ蓋及び回転軸８０５、第２ブラケット８０２が検出対象である血液の駆動で転動し、回転軸８０５の転動角度に基づいて検出対象である血液の血液凝固データを確定する。
【００９５】
また、例えば、図１０に示すように、血液収容カップ蓋を回転軸８０５に接続した後、第２駆動機構１００８により第１ブラケット８０１を駆動して第１ブラケット８０１と宝石軸受８０３を上昇させ、宝石軸受８０３が頂部錐体８０４と接触した後、第２駆動機構１００８が第１ブラケット８０１を駆動して一定の距離上昇させ続けて第２ブラケット８０２とリミット機構８０６を分離する。第２ブラケット８０２とリミット機構８０６が分離された後、第２駆動機構１００８が運動を停止して第１ブラケット８０１を支持し、第１ブラケット８０１が宝石軸受８０３及び頂部錐体８０４により第２ブラケット８０２及び回転軸８０５を支持し、血液収容カップ蓋及び回転軸８０５、第２ブラケット８０２が検出対象である血液の駆動で転動し、回転軸８０５の転動角度に基づいて検出対象である血液の血液凝固データを確定する。
【００９６】
操作１４０４：宝石軸受と頂部錐体を分離する。
【００９７】
本発明の一実施例では、検出対象である血液の血液凝固データの検出が完了した後、使用後の血液収容カップ蓋を回転軸から取り外すことが必要とされ、血液収容カップ蓋を取り外す前に、先ず宝石軸受と頂部錐体を分離する必要がある。具体的には宝石軸受と頂部錐体を分離する過程が操作１４０１と同様であり、ここではその説明を省略する。
【００９８】
操作１４０５：血液収容カップ蓋を回転軸から取り外す。
【００９９】
本発明の一実施例では、宝石軸受と頂部錐体を分離した後、取り外し機構により血液収容カップ蓋を押し付けて回転軸の上で運動させ、血液収容カップ蓋を回転軸から脱離させて、血液収容カップ蓋と回転軸を分離する。
【０１００】
例えば、図１１に示すように、駆動力により取り外し機構１１０９を駆動して、取り外し機構１１０９を下へ運動させ、取り外し機構１１０９が下へ運動して血液収容カップ蓋１１１０と接触すると血液収容カップ蓋に下向きの作用力を施し、血液収容カップ蓋１１１０が該下向きの作用力の駆動で下へ運動し、血液収容カップ蓋１１１０が下へ運動する過程で回転軸８０５が固定状態となり、血液収容カップ蓋１１１０が下へ一定の距離運動した後回転軸８０５から押され、血液収容カップ蓋１１１０と回転軸８０５の分離が実現される。
【０１０１】
図９又は図１０に示すように、血液収容カップ蓋が下向きの作用力を受けた時に、回転軸８０５、第２ブラケット８０２及び頂部錐体８０４がリミット機構８０６の支持で固定状態となり、回転軸８０５が下へ運動不可能であるため、血液収容カップ蓋が下向きの作用力により駆動されて回転軸８０５に対して相対的に運動して、血液収容カップ蓋を回転軸から脱離させて、締まりばめにより接続された血液収容カップ蓋と回転軸を分離する。血液収容カップ蓋と回転軸の分離過程で、第１ブラケット８０１の位置が固定されており、第２ブラケット８０２がリミット機構８０６により回転軸からの下向きの牽引力に抵抗し、宝石軸受８０３と頂部錐体８０４とが接触せず且つ相互作用力がなく、それにより血液収容カップ蓋と回転軸の分離過程で宝石軸受８０３及び頂部錐体８０４を損壊することがない。
【０１０２】
図１５に示すように、本発明の実施例は、外部に設置された第１支持アセンブリに固定された固定部１５０１１、固定部１５０１１に固定され、外部に設置された第１支持アセンブリの１つの平面に密着している安定化プラットフォーム１５０１２、及び固定部１５０１１に固定され、第２固定接続部材１５０２と点接続の方式により一体に接続された接続部１５０１３を備えた第１固定接続部材１５０１と、
外部に設置された第２支持アセンブリに固定的に接続された第２固定接続部材１５０２とを含み、
外部動力の駆動で、外部に設置された第１支持アセンブリが接続部１５０１３と第２固定接続部材１５０２の点接続により外部に設置された第２支持アセンブリに対して転動する接続アセンブリを提供する。
【０１０３】
図１５に示す実施例では、接続アセンブリにおける第１固定接続部材が固定部により外部に設置された第１支持アセンブリに固定され、安定化プラットフォームにより外部に設置された第１支持アセンブリの１つの平面に密着しており、第１固定接続部材と第１支持アセンブリの接触面積を増加し、そのようにして外部に設置された第１支持アセンブリが接続部と第２固定接続部材の点接続により第２支持アセンブリの回りに転動する時に、第１固定接続部材と第１支持アセンブリの間の摩擦力を増加して第１固定接続部材と第１支持アセンブリの間の相対的な運動を回避することができ、回転抵抗の発生を効果的に低減することができる。
【０１０４】
本発明で提供される実施例では、点接続の方式は２つの接触部材同士が完全に接触するというわけでなく、且つ接触面積が所定値より小さいようになってよい。例えば、上記接続部と第２固定接続部材が点接続の方式により一体に接続された時、接触面積が１平方ミリメートルより小さい。
【０１０５】
図１６に示すように、本発明の別の実施例では、安定化プラットフォーム１６０１２と接続部１６０１３が固定部１６０１１の一端に設置されており、安定化プラットフォーム１６０１２と固定部１６０１１とが「逆Ｔ」型を構成し、安定化プラットフォーム１６０１２と接続部６０１３が「Ｔ」型を構成しており、固定部１６０１１の安定化プラットフォーム１６０１２に対する第１垂直中心線が接続部１６０１３の安定化プラットフォーム１６０１２に対する第２垂直中心線と重なり合っている。安定化プラットフォームの形状は六角形、円形などのどちらに設置してもよいことを説明すべきである。
【０１０６】
本発明の別の実施例では、固定部が外部に設置された第１支持アセンブリの第１平面により第１支持アセンブリに挿入されており、例えば固定部ケーシングにヘリックスを設置し、ヘリックスにより固定部を第１支持アセンブリに挿入して、第１固定接続部材を外部に設置された第１支持アセンブリに固定することを実現し、固定部が第１支持アセンブリに挿入された時に、安定化プラットフォームが第１平面に密着するようになり、第１固定接続部材と外部に設置された第１支持アセンブリの接触面積が効果的に増加され、そのように第１支持アセンブリが転動する過程で、第１固定接続部材と外部に設置された第１支持アセンブリの間の摩擦力が増加されて、第１固定接続部材が第１支持アセンブリに安定的に固定されることが可能になった。
【０１０７】
本発明の別の実施例では、接続部と第２固定接続部材は頂部錐体と宝石軸受であってよく、ここで、宝石軸受は餅状構造であり、餅状構造の１つの平面に錐体形凹溝が設置されており、頂部錐体が錐体状構造であり、頂部錐体の先端が宝石軸受における錐体形凹溝に位置し、頂部錐体と宝石軸受が点接触の方式により接続される。例えば、頂部錐体の先端に０．５平方ミリメートルの面積を有し、該０．５平方ミリメートルの面積の先端により宝石軸受の錐体形凹溝に点接続する。
【０１０８】
次に、それぞれ以下の二種の形態について接続アセンブリの構造を説明する。
【０１０９】
形態１：接続部が頂部錐体である時に、第２固定接続部材が宝石軸受であり、図１７に示すように、固定部１７０１１と安定化プラットフォーム１７０１２が「逆Ｔ」型を構成し、安定化プラットフォーム１７０１２と接続部とする頂部錐体１７０１３が「Ｔ」型を構成し、頂部錐体１７０１３の先端と第２固定接続部材とする宝石軸受１７０２の底部が点接触し、宝石軸受１７０２が頂部錐体１７０１３、安定化プラットフォーム１７０１２及び固定部１７０１１を支持するようになっている。
【０１１０】
形態２：接続部が宝石軸受である時に、第２固定接続部材が頂部錐体であり、図１８に示すように、固定部１８０１１と安定化プラットフォーム１８０１２が「逆Ｔ」型を構成し、安定化プラットフォーム１８０１２と接続部とする宝石軸受１８０１３が「Ｔ」型を構成し、第２固定接続部材とする頂部錐体１８０２の先端と宝石軸受１８０１３の底部が点接触し、頂部錐体１８０２が宝石軸受１８０１３、安定化プラットフォーム１８０１２及び固定部１８０１１を固定するようになっている。
【０１１１】
図１９に示すように、本発明の実施例は、その中の第１固定接続部材１９０１１と第２固定接続部材１９０１２が点接続の方式により一体に接続された上述したいずれか一項に記載の接続アセンブリ１９０１と、接続アセンブリ１９０１における第１固定接続部材１９０１１を固定し、その中の１つの平面が第１固定接続部材１９０１１における安定化プラットフォームに密着している、外部に設置された被支持物に固定的に接続される第１支持アセンブリ１９０２と、接続アセンブリ１９０１における第２固定接続部材１９０１２を固定する第２支持アセンブリ１９０３とを含み、外部に設置された被支持物の駆動で、第１支持アセンブリ１９０２が第１固定接続部材１９０１１により第２支持アセンブリ１９０３に対して転動することを特徴とするブラケットを提供する。
【０１１２】
本発明の別の実施例では、第１支持アセンブリは、「凹」状平面と、「凹」状平面の凹溝に位置し凹溝と共に「段差」状を構成した挿入孔とを含み、第１固定接続部材の固定部が挿入孔に挿入され、第１固定接続部材の安定化プラットフォームが凹溝に密着している。この接続方式を正確に説明可能にするために、第１固定接続部材の接続部を頂部錐体とし、第２固定接続部材を宝石軸受とすることを例として説明し、図２０に示すように、第１支持アセンブリ２００２は、「凹」状平面２００２１と、「凹」状平面２００２１の凹溝に位置し凹溝と共に「段差」状を構成した挿入孔２００２２とを含み、第１固定接続部材２００１１の固定部２００１１１が挿入孔２００２２に挿入され、第１固定接続部材２００１１の安定化プラットフォーム２００１１２が凹溝に密着し、宝石軸受２００１２が第２固定接続部材として第２支持アセンブリ２００３に固定され、頂部錐体２００１１３が第１固定接続部材２００１１の接続部とし、頂部錐体２００１１３の先端が宝石軸受２００１２における錐体形凹溝に位置し、頂部錐体２００１１３と宝石軸受２００１２が点接触の方式により接続されるようになっており、上記接続方式により、第１固定接続部材２００１１と第１支持アセンブリ２００２の間の接触面積が効果的に増加され、そのように、外部に設置された被支持物が第１支持アセンブリ２００２を駆動して転動させる時に、第１固定接続部材２００１１と第１支持アセンブリ２００２の間の摩擦力が大幅に増加されて、第１固定接続部材２００１１がより確実に第１支持アセンブリ２００２に固定可能になって、第１支持アセンブリ２００２が第２支持アセンブリ２００３に対して転動する時の回転抵抗を低減した。
【０１１３】
図２１に示すように、本発明の実施例は、上述したいずれか一項に記載のブラケット２１０１と、ブラケット２１０１における第１支持アセンブリに固定的に接続され、外部動力の駆動で第１支持アセンブリを連動して転動させる被支持物２１０２とを含む血液凝固データ検出装置を提供する。
【０１１４】
本発明の別の実施例では、被支持物２１０２は、ブラケットにおける第１支持アセンブリに固定的に接続されており、被検血液の駆動で第１支持アセンブリを連動して転動させる回転軸を含む。
【０１１５】
図２２に示すように、本発明の実施例は、
被支持物をブラケットにおける第１支持アセンブリに固定的に接続する操作２２０１と、被支持物が外部動力に駆動される操作２２０２と、
被支持物が第１支持アセンブリを駆動して転動させる操作２２０３とを含む上述したいずれか一項に記載の血液凝固データ検出装置の使用方法を提供する。
【０１１６】
上記操作２２０３において、被支持物が第１支持アセンブリに固定的に接続され、第１支持アセンブリが接続アセンブリの点接続方式により第２支持アセンブリに接続され、被支持物が外部駆動作用で、第１支持アセンブリを連動して点接続の接触点の回りに転動させ、第２支持アセンブリが１つの接触点のみにより第１支持アセンブリ及び被支持物を支持するため、第１支持アセンブリと第２支持アセンブリが相対的に転動する時に発生する摩擦力が小さくて、被支持物が転動する時に受ける回転抵抗を低減する。
【０１１７】
本発明の一実施例では、上記使用方法は血液凝固データ検出装置に応用され、被支持物は、回転軸を含み、操作２２０２の具体的な実施形態は、回転軸を被検血液に置き、被検血液が転動する時に駆動されるステップを含み、即ち回転軸の下端の所定の長さが被検血液に没入した後、回転装置により血液収容容器を一定の速度で回転させ、血液収容容器が回転して収容された被検血液を連動して転動させるようになり、被検血液が一定の粘性を有するため、被検血液が転動して回転軸上で回転トルクを発生させ、回転軸が該回転トルクの作用で転動し、被検血液の粘性が大きいほど、回転軸の転動角度が大きい。
【０１１８】
本発明の一実施例では、操作２２０３の後、更に回転軸が回転角度を提供するステップを含む。被検血液が一定の粘性を有するため、被検血液が転動して回転軸上で回転トルクを発生させ、回転軸が該回転トルクの作用で転動することが以上で記述されており、そのように回転軸の転動角度が被検血液の粘性と関連しており、血液凝固データ検出装置は各類のセンサーにより回転軸の転動角度を検出し、回転軸の転動角度に基づいて血栓弾性記録図を形成し、血栓弾性記録図に基づいて被検血液粘弾性を体現する指標パラメーターを取得し、又は回転軸の転動角度を被検血液粘弾性を体現する指標パラメーターに直接変換することができる。
【０１１９】
図２３に示す血液凝固データ検出装置を例とし、該血液凝固データ検出装置の使用方法を更に説明し、図２４に示すように、該使用方法は以下のようなステップを含む。
【０１２０】
操作２４０１：回転軸をブラケットにおける第１支持アセンブリに固定的に接続する。
【０１２１】
図２３に示すように、血液凝固データ検出装置は、回転軸２３０４と、図２０に示すブラケットとを含み、ここで、接続アセンブリ２３０１における第１固定接続部材２３０１１（固定部２３０１１１、安定化プラットフォーム２３０１１２及び頂部錐体２３０１１３を含む）が第１支持アセンブリ２３０２に固定され、第２固定接続部材とする宝石軸受２３０１２が第２支持アセンブリ２３０３に固定されており、ここで、第１固定接続部材２３０１１を第１支持アセンブリ２３０２に固定する固定方式は、固定部２３０１１１が第１支持アセンブリ２３０２における挿入孔２３０２２に挿入され、該挿入孔２３０２２が「凹」型平面２３０２１における凹溝２３０２３に設置されており、安定化プラットフォーム２３０１１２が凹溝２３０２３に密着し、接続部とする頂部錐体２３０１１３の先端と宝石軸受２３０１２が点接触の方式により接続され、該固定部２３０１１１、安定化プラットフォーム２３０１１２及び頂部錐体２３０１１３が一体的に存在してよく、即ち固定部２３０１１１、安定化プラットフォーム２３０１１２及び頂部錐体２３０１１３の間に接続隙間がないようになっている。また、回転軸２３０４が第１支持アセンブリ２３０２に接続され、その接続方式は柔軟に設置してよく、回転軸２３０４を垂直に保持すればよく、例えば、第１支持アセンブリ２３０２を「口」字状に設置し、第１固定接続部材２３０１１を「口」字状の上端内側に取り付け、回転軸２３０４を「口」字状の下端外側に取り付け、第２支持アセンブリ２３０３を「口」字状を貫通するように「口」字状の上端内側の第１固定接続部材２３０１１における頂部錐体２３０１１３の先端に接続するようにしてよい。
【０１２２】
操作２４０２：回転軸を被検血液に置く。
【０１２３】
該ステップにおいて、被検血液を血液収容容器に収容し、回転軸２３０４が一定の作用力により、例えば血液凝固データ検出装置における昇降機により連動されて血液収容容器に伸び込んで、所定の長さの回転軸２３０４を被検血液に没入させるようにしてよい。
【０１２４】
操作２４０３：被検血液が転動する時に、回転軸が回転している被検血液に駆動される。
【０１２５】
回転軸２３０４の下端の所定の長さを被検血液に没入させた後、血液凝固データ検出装置における回転装置により血液収容容器を一定の速度で回転させ、血液収容容器が回転して収容された被検血液を連動して転動させ、被検血液が一定の粘性を有するため、被検血液が転動して回転軸２３０４上で回転トルクを発生させ、回転軸２３０４が該回転トルクの作用で転動し、被検血液の粘性が大きいほど、回転軸２３０４の転動角度が大きい。
【０１２６】
操作２４０４：回転軸が第１支持アセンブリを駆動して接続アセンブリの点接続により第２支持アセンブリの回りに転動させる。
【０１２７】
回転軸２３０４が第１支持アセンブリ２３０２に固定的に接続されているため、回転軸２３０４が転動すると、第１支持アセンブリ２３０２により固定された第１固定接続アセンブリ２３０１１における頂部錐体２３０１１３が宝石軸受２３０１２との接続点により宝石軸受２３０１２の回りに回転軸２３０４と同一角度で転動し、第２支持アセンブリ２３０３が宝石軸受２３０１２及び頂部錐体２３０１１３により回転軸２３０４及び第１支持アセンブリ２３０２を支持し、宝石軸受２３０１２と頂部錐体２３０１１３の間が単一の点で接触するため、宝石軸受２３０１２と頂部錐体２３０１１３が相対的に転動する時に発生する摩擦力が小さくて、回転軸２３０４が転動する時にブラケットがそれに対して発生させる回転抵抗を低減する。
【０１２８】
操作２４０５：センサーにより回転軸の回転角度を検出する。
【０１２９】
操作２４０６：回転軸の転動角度に基づいて被検血液の血液凝固データを確定する。
【０１３０】
操作２４０５とステップ操作２４０６の具体的な過程は、各類のセンサーにより回転軸の転動角度を検出し、回転軸の転動角度に基づいて血栓弾性記録図を形成し、血栓弾性記録図に基づいて被検血液粘弾性を体現する指標パラメーターを取得し、又は、回転軸の転動角度を被検血液粘弾性を体現する指標パラメーターに直接変換するようになっている。
【０１３１】
本発明で提供される各実施例は、少なくとも以下のような有用な効果を有する。
１、本発明の実施例では、血液収容カップブラケットが第１駆動力の作用で未使用の血液収容カップ及び血液収容カップ蓋を連動して上昇させ、且つ血液収容カップ蓋を回転軸に接続することができ、血液凝固データを検出する前に血液収容カップの上昇及び血液収容カップ蓋の載置を自動的に完了することを実現し、血液収容カップブラケットが第２駆動力の作用で使用後の血液収容カップを連動して降下させることができ、また取り外し機構が第２駆動力の作用で使用後の血液収容カップ蓋を回転軸から分離することができ、血液凝固データを検出した後血液収容カップの降下及び血液収容カップ蓋の取り外しを自動的に完了することを実現した。このようにして、血液凝固データを検出する過程で、血液凝固データ検出装置は、人工操作の方法の代わりに、血液収容カップの上昇と降下及び血液収容カップ蓋の載置と取り外しを自動的に完了し、血液凝固データを検出する労力を軽減した。
２、本発明の実施例では、ステッピングモーター及びガイドスクリューにより血液収容カップブラケット及び取り外し機構を駆動するようになっており、ステッピングモーターが順方向に転動し逆方向に転動することができるため、高い制御精度を有し、また、ガイドスクリューが動力を伝達する時に高いストロークコントロール精度を有する。ステッピングモーター及びガイドスクリューにより血液収容カップブラケット及び取り外し機構を駆動することで、血液収容カップブラケット及び取り外し機構のストローク精度を高め、血液収容カップ及び血液収容カップ蓋を正確な位置に載置するのを保証することができ、且つ円滑に取り外すことができる。
３、本発明の実施例では、血液収容カップブラケットの底部に貫通孔が設置されており、突き上げピンが貫通孔から伸び込むことができ、血液収容カップブラケットが降下した時、突き上げピンが血液収容カップを血液収容カップブラケットから突き上げ、血液収容カップの自動的な取り外しを実現することができ、それにより手動の方式で血液収容カップを取り外す必要がなく、血液凝固データを検出する労力を更に軽減した。
４、本発明の実施例では、血液収容カップ及び血液収容カップ蓋を載置し又は取り外す過程で、リミット機構により回転軸の位置を固定して、血液収容カップ及び血液収容カップ蓋を載置し又は取り外す過程で回転軸の軸受を損壊することを防止し、回転軸が変形することを防止する。血液凝固データ検出装置の安全性及び血液凝固データの測定正確性を高めた。
５、本発明の実施例では、宝石軸受が第１ブラケットに接続され、頂部錐体及び回転軸がいずれも第２ブラケットに接続され、第１ブラケットが一体に係合された宝石軸受と頂部錐体により第２ブラケット及び回転軸を支持するようになっており、血液収容カップ蓋を回転軸に接続し又は血液収容カップ蓋を回転軸から分離することが必要とされる時に、リミット機構により宝石軸受及び頂部錐体の位置を規制して宝石軸受と頂部錐体を分離し、続いて血液収容カップ蓋を回転軸に接続し又は血液収容カップ蓋を回転軸から分離する。このようにして、血液収容カップ蓋と回転軸を接続し又は分離する過程で、宝石軸受が頂部錐体と接触せず、回転軸受の受ける力が宝石軸受に作用することがなく、血液収容カップ蓋と回転軸を接続し又は分離する過程で宝石軸受を損壊することを回避して、宝石軸受が損壊されるリスクを軽減した。
６、本発明の実施例では、宝石軸受と頂部錐体を分離する実現方式が複数種あり、第２ブラケットを駆動し、第２ブラケットが頂部錐体を連動して上昇させて頂部錐体と宝石軸受の分離を実現するようにしてもよく、第１ブラケットを駆動し、第１ブラケットが宝石軸受を連動して降下させ、且つリミット機構により第２ブラケットの位置を規制して頂部錐体と宝石軸受の分離を実現するようにしてもよい。このようにして、異なる機構形式により頂部錐体と宝石軸受の分離を実現することができ、血液凝固データ検出装置の適用性を高めた。
７、本発明の実施例では、血液凝固データ検出装置は、駆動力の作用で血液収容カップ蓋を回転軸から脱離させることができる取り外し機構を更に含んでよい。このようにして、ステッピングモーターなどの設備により取り外し機構を駆動して、血液収容カップ蓋と回転軸の自動的な分離を実現することができ、手動の方式により血液収容カップ蓋を回転軸から取り外す必要がなく、血液凝固データ検出過程での検出者の労力を軽減した。
８、本発明の実施例では、頂部錐体及び第２ブラケットのいずれにもガイドプラットフォームが設置されており、頂部錐体と第２ブラケットがねじ山により接続された後、頂部錐体におけるガイドプラットフォームが第２ブラケットにおけるガイドプラットフォームに密着するようになって、頂部錐体と第２ブラケットの間の夾角が直角であることを保証し、回転軸が傾斜して検出された血液凝固データに影響を及ぼすことを防止し、血液凝固データ検出装置による血液凝固データの検出正確性を高めた。
９、本発明の実施例では、第１ブラケットと第２ブラケットに同性磁極が対向する第１磁石と第２磁石が設置されており、第１磁石と第２磁石の間の斥力作用で、頂部錐体と宝石軸受の間の作用力を低減して、頂部錐体と宝石軸受の間の摩擦力を低減することができ、それにより回転軸の転動角度が検出対象である血液粘度情報をより正確に反映することができ、更に血液凝固データ検出装置による血液凝固データの検出正確性を高めた。
１０、本発明の実施例では、該接続アセンブリにおける第１固定接続部材が固定部により外部に設置された第１支持アセンブリに固定され、且つ安定化プラットフォームにより外部に設置された第１支持アセンブリの１つの平面に密着するようになっており、第１固定接続部材と第１支持アセンブリの接触面積が増加され、そのように、外部に設置された第１支持アセンブリが接続部と第２固定接続部材の点接続により第２支持アセンブリの回りに転動する時に、第１固定接続部材と第１支持アセンブリの間の摩擦力を増加し、第１固定接続部材と第１支持アセンブリの間の相対的な運動を回避することができ、回転抵抗の発生を効果的に低減することができる。
１１、本発明の実施例では、接続アセンブリにおける第１固定接続部材と第２固定接続部材が点接続の方式により一体に接続されており、それぞれ第１固定接続部材を第１支持アセンブリに固定し、第２固定接続部材を第２支持アセンブリに固定した時、被支持物が力を受けた後第１支持アセンブリを駆動して第２支持アセンブリの回りに転動させる過程は実際には第１固定接続部材と第２固定接続部材の間の点接続転動であり、そのように、第１支持アセンブリと第２支持アセンブリが相対的に転動する時に１つの接触点のみに摩擦力が発生し、摩擦力を発生させる複数の接触点を含む従来の技術における構造と比べて、上記実施例は転動摩擦力の発生を低減して、被支持物が回転する時に受ける回転抵抗を低減することができる。
１２、本発明の実施例では、接続アセンブリに含まれる第１固定接続部材における接続部と第２接続部材は宝石軸受と頂部錐体であってよく、頂部錐体の先端が宝石軸受の錐体形凹溝に位置し、頂部錐体の先端と錐体形凹溝の底部が点接触するようになっており、宝石軸受の硬度が大きいため、宝石軸受と頂部錐体が相対的に転動する時に、発生する摩擦力が小さくて、更に回転抵抗を低減することができ、該接続アセンブリを血液凝固データ検出装置に応用する時に血液凝固データ検出装置の感度及び測定の正確性を高めることができる。
１３、本発明の実施例では、接続アセンブリにおける第１固定接続部材中の接続部は宝石軸受であってもよく、頂部錐体であってもよく、実際の設備の構造及び機能の要求に応じて柔軟に選択して、該接続アセンブリに一定の適用性を持たせるようにしてよい。
【０１３２】
本明細書において、例えば第１と第２のような関係を示す専門用語は１つの実体又は操作を別の実体又は操作から区別するためのものに過ぎず、これらの実体又は操作の間にいかなるこのような実際の関係又は順序も存在することを必ずしも要求し又は暗示するというわけではないことを説明する必要がある。また、専門用語の「備える」、「含む」又はそのいかなる変体は非排他的に含むことを包括する意図があり、それにより一連の要素を含む過程、方法、物品又は設備はそれらの要素を含むだけでなく、明確に列挙されていない他の要素を更に含み、又は、このような過程、方法、物品又は設備に固有の要素を更に含む。より多い制限を加えない限り、「……を１つ含む」という語句により限定された要素については、前記要素を含む過程、方法、物品又は設備に更に別の同様の要素を含む場合を排除していない。
【態様】
【０１３３】
以下の番号をつけた各態様は本発明の開示する内容を更に提供する。注意すべきこととして、以下の態様１−６のいずれも態様７−１０のいずれに組み合わせてもよく、態様１１−１６のいずれに組み合わせてもよく、更に１７−２０のいずれに組み合わせてもよく、更に態様２１−２４のいずれに組み合わせてもよく、更に態様２５−２６のいずれに組み合わせてもよく、更に態様２７−３０のいずれに組み合わせてもよく、更に態様３１−３４のいずれに組み合わせてもよく、更に態様３５−３７のいずれに組み合わせてもよい。また、以下の態様７−１０のいずれも態様１１−１６のいずれに組み合わせてもよく、更に態様１７−２０のいずれに組み合わせてもよく、更に態様２１−２４のいずれに組み合わせてもよく、更に態様２５−２６のいずれに組み合わせてもよく、更に態様２７−３０のいずれに組み合わせてもよく、更に態様３１−３４のいずれに組み合わせてもよく、更に態様３５−３７のいずれに組み合わせてもよい。以下の態様１１−１６のいずれも態様１７−２０のいずれに組み合わせてもよく、更に態様２１−２４のいずれに組み合わせてもよく、更に態様２５−２６のいずれに組み合わせてもよく、更に態様２７−３０のいずれに組み合わせてもよく、更に態様３１−３４のいずれに組み合わせてもよく、更に態様３５−３７のいずれに組み合わせてもよい。以下の態様１７−２０のいずれも態様２１−２４のいずれに組み合わせてもよく、更に態様２５−２６のいずれに組み合わせてもよく、更に態様２７−３０のいずれに組み合わせてもよく、更に態様３１−３４のいずれに組み合わせてもよく、更に態様３５−３７のいずれに組み合わせてもよい。以下の態様２１−２４のいずれも態様２５−２６のいずれに組み合わせてもよく、更に態様２７−３０のいずれに組み合わせてもよく、更に態様３１−３４のいずれに組み合わせてもよく、更に態様３５−３７のいずれに組み合わせてもよい。以下の態様２５−２６のいずれも態様２７−３０のいずれに組み合わせてもよく、更に態様３１−３４のいずれに組み合わせてもよく、更に態様３５−３７のいずれに組み合わせてもよい。以下の態様２７−３０のいずれも態様３１−３４のいずれに組み合わせてもよく、更に態様３５−３７のいずれに組み合わせてもよい。以下の態様３１−３４のいずれも態様３５−３７のいずれに組み合わせてもよい。
【０１３４】
１．検出対象である血液を血液収容カップ及び血液収容カップ蓋により収容する血液凝固データ検出装置において、
未使用の血液収容カップ及び血液収容カップ蓋を支持し、第１駆動力の作用で前記未使用の血液収容カップ及び血液収容カップ蓋を連動して上昇させて前記未使用の血液収容カップ蓋を前記回転軸に接続し、第２駆動力の作用で使用後の血液収容カップを連動して降下させるための血液収容カップブラケットと、
前記第２駆動力の作用で使用後の血液収容カップ蓋を前記回転軸から分離するための取り外し機構と、
回転軸と、を含む血液凝固データ検出装置。
２．前記ステッピングモーターに接続されたネジ、それぞれ前記血液収容カップブラケット及び前記取り外し機構に接続されたナットを備えたガイドスクリューと、ステッピングモーターとを更に含み、
前記ステッピングモーターは前記ネジを駆動して前記ネジを順方向に転動させ又は逆方向に転動させるためのものであり、
前記ナットは前記ネジの転動方向により前記ネジが順方向に転動する時に前記血液収容カップブラケットに第１駆動力を施し、前記ネジが逆方向に転動する時に前記血液収容カップブラケット及び前記取り外し機構に第２駆動力を施すためのものである、態様１に記載の装置。
３．前記取り外し機構は中部に貫通孔が設置されたシート状構造であり、
前記回転軸は前記取り外し機構の中部の貫通孔を貫通しており、且つ前記取り外し機構と接触せず、
前記取り外し機構は、前記第２駆動力の作用で前記回転軸の端部へ運動して、締まりばめの方式により前記回転軸端部に接続された前記使用後の血液収容カップ蓋を前記回転軸から分離し、前記回転軸から分離した後の前記使用後の血液収容カップ蓋を前記使用後の血液収容カップに落下させるためのものである、態様１に記載の装置。
４．前記血液収容カップブラケットはカップ状構造であり、
前記血液収容カップブラケットは前記第１駆動力の作用で前記未使用の血液収容カップ及び血液収容カップ蓋を連動して上昇させ、前記未使用の血液収容カップ蓋が前記回転軸と接触した後設定距離上昇させ続けて、締まりばめの方式により前記未使用の血液収容カップに接続し、前記回転軸と前記未使用の血液収容カップ蓋を締まりばめの方式により接続するためのものである、態様１に記載の装置。
５．前記血液収容カップブラケットが前記使用後の血液収容カップを連動して設定距離降下させた後、前記使用後の血液収容カップの底部と接触し、前記血液収容カップブラケットが降下し続ける過程で、締まりばめの方式により接続された前記血液収容カップブラケットと前記使用後の血液収容カップを分離するための突き上げピンを更に含み、
前記カップ状構造の血液収容カップブラケットの底部には固定的に設置された前記突き上げピンを貫通させる貫通孔が設置されている、態様４に記載の装置。
６．前記未使用の血液収容カップ蓋と前記回転軸の接続過程で前記回転軸の位置を固定し、前記使用後の血液収容カップ蓋と前記回転軸の分離過程で前記回転軸の位置を固定するためのリミット機構を更に含む、態様１−５のいずれか一項に記載の装置。
７．前記血液収容カップブラケットにより未使用の血液収容カップ及び血液収容カップ蓋を支持するステップと、
第１駆動力により前記血液収容カップブラケットを駆動し、前記血液収容カップブラケットが運動して前記未使用の血液収容カップ及び血液収容カップ蓋を連動して上昇させて、前記未使用の血液収容カップ蓋を前記回転軸に接続するステップと、を含む、態様１−６のいずれか一項に記載の血液凝固データ検出装置に基づいて血液収容カップを載置する方法。
８．第１駆動力により前記血液収容カップブラケットを駆動し、前記血液収容カップブラケットが運動して前記未使用の血液収容カップ及び血液収容カップ蓋を連動して上昇させて、前記未使用の血液収容カップ蓋を前記回転軸に接続する前記ステップは、
第１駆動力により前記血液収容カップブラケットを駆動し、前記血液収容カップブラケットが前記未使用の血液収容カップ及び血液収容カップ蓋を連動して上昇させ、前記未使用の血液収容カップ蓋が前記回転軸と接触した後設定距離上昇させ続け、締まりばめの方式により前記未使用の血液収容カップに接続し、且つ締まりばめの方式により前記回転軸を前記未使用の血液収容カップ蓋に接続するステップを含む、態様７に記載の方法。
９．第２駆動力により前記血液収容カップブラケットを駆動し、前記血液収容カップブラケットが運動して前記使用後の血液収容カップを連動して降下させるステップと、
前記第２駆動力により前記取り外し機構を駆動し、前記取り外し機構が運動して前記使用後の血液収容カップ蓋を前記回転軸から分離するステップと、を含む、態様１−６のいずれか一項に記載の血液凝固データ検出装置に基づいて血液収容カップを取り外す方法。
１０．第２駆動力により前記取り外し機構を駆動し、前記取り外し機構が運動して前記使用後の血液収容カップ蓋を前記回転軸から分離する前記ステップは、
前記第２駆動力により前記取り外し機構を駆動して前記回転軸の端部へ運動させ、前記取り外し機構が締まりばめの方式により前記回転軸端部に接続された前記使用後の血液収容カップ蓋を前記回転軸から分離し、且つ前記回転軸から分離された後の前記使用後の血液収容カップ蓋を前記使用後の血液収容カップに落下させるステップを含み、及び／又は、
前記血液凝固データ検出装置が突き上げピンを含む場合に、
前記血液収容カップブラケットが運動して前記使用後の血液収容カップを連動して降下させるステップは、
前記血液収容カップブラケットが前記使用後の血液収容カップを連動して設定距離降下させた後、前記突き上げピンが前記使用後の血液収容カップの底部と接触し、前記血液収容カップブラケットが降下し続ける過程で突き上げピンが締まりばめの方式によりに接続された前記血液収容カップブラケット及び前記使用後の血液収容カップを分離するステップを含む、態様９に記載の方法。
１１．前記宝石軸受に接続された第１ブラケットと、
それぞれ前記頂部錐体及び前記回転軸に接続された第２ブラケットと、
前記頂部錐体を支持して前記第２ブラケット及び前記回転軸が検出対象である血液の駆動で転動することを可能にするための宝石軸受と、
頂部錐体と、
回転軸と、
外部の血液収容カップ蓋と前記回転軸の接続又は分離過程で前記宝石軸受及び前記頂部錐体の位置を規制して、前記宝石軸受と前記頂部錐体を分離するためのリミット機構と、を含む血液凝固データ検出装置。
１２．前記リミット機構に接続されており、前記血液収容カップ蓋と前記回転軸の接続又は分離過程で前記リミット機構を駆動するための第１駆動機構を更に含み、
前記リミット機構は、前記第１駆動機構の駆動で前記第１ブラケットを連動して運動させて、前記宝石軸受と前記頂部錐体を分離し、且つ前記宝石軸受と前記頂部錐体が分離された後前記第１ブラケットを支持するためのものである、態様１１に記載の装置。
１３．前記第１ブラケットに接続されており、前記血液収容カップ蓋と前記回転軸の接続又は分離過程で、前記第１ブラケットを駆動して前記第１ブラケットの高さを降下させ、且つ前記宝石軸受と前記頂部錐体が分離された後前記第１ブラケットを支持するための第２駆動機構を更に含み、
前記リミット機構は前記第１ブラケット及び前記第２ブラケットに対して固定的に設置されており、
前記リミット機構は前記第１ブラケットが降下する過程で前記第２ブラケットの位置を規制して前記宝石軸受と前記頂部錐体を分離するためのものである、態様１１に記載の装置。
１４．取り外し機構を更に含み、
前記取り外し機構の中部に貫通孔が設置されており、前記回転軸が前記取り外し機構の中部の貫通孔を貫通し、且つ前記取り外し機構と接触せず、前記取り外し機構は駆動力の作用で前記回転軸の端部へ運動して、前記回転軸端部に接続された前記血液収容カップ蓋を連動して前記回転軸に対して運動させて、前記血液収容カップ蓋を前記回転軸から脱離させて、前記血液収容カップ蓋を前記回転軸から分離するためのものである、態様１１に記載の装置。
１５．前記頂部錐体に接続ボルト及び第１ガイドプラットフォームが設置されており、
前記第２ブラケットに接続ナット及び第２ガイドプラットフォームが設置されており、
前記接続ボルトが前記接続ナットに係合されて前記頂部錐体と前記第２ブラケットを接続し、
前記第１ガイドプラットフォームが前記第２ガイドプラットフォームに密着して、前記頂部錐体と前記第２ブラケットの間の夾角を限定する、態様１１に記載の装置。
１６．前記第１ブラケットに接続された第１磁石及び前記第２ブラケットに接続された第２磁石を更に含み、
前記第１磁石と前記第２磁石の同性磁極が対向している、態様１１に記載の装置。
１７．前記リミット機構により前記宝石軸受及び前記頂部錐体の位置を規制して、前記宝石軸受と前記頂部錐体を分離するステップと、
前記血液収容カップ蓋を前記回転軸に接続し又は分離するステップと、を含む、態様１１−１６のいずれか一項に記載の血液凝固データ検出装置に基づいて血液収容カップ蓋を着脱させる方法。
１８．前記血液凝固データ検出装置が第１駆動機構を含む場合に、
前記リミット機構により前記第１ブラケットの位置を規制して前記宝石軸受と前記頂部錐体を分離する前記ステップは、
前記第１駆動機構により前記リミット機構を駆動し、前記リミット機構が前記第１ブラケットを連動して運動させて、前記宝石軸受と前記頂部錐体を分離するステップを含み、
前記宝石軸受と前記頂部錐体を分離する前記ステップの後、更に、
前記リミット機構により前記第１ブラケットを支持するステップを含む、態様１７に記載の方法。
１９．前記血液凝固データ検出装置が第２駆動機構を含む場合に、
前記リミット機構により前記第１ブラケットの位置を規制して前記宝石軸受と前記頂部錐体を分離する前記ステップは、
前記第２駆動機構により前記第１ブラケットを駆動して前記第１ブラケットの高さを降下させ、前記第１ブラケットが降下する過程で前記リミット機構により前記第２ブラケットの位置を規制して前記宝石軸受と前記頂部錐体を分離するステップを含み、
前記宝石軸受と前記頂部錐体を分離する前記ステップの後、更に、
前記第２駆動機構により前記第１ブラケットを支持するステップを含む、態様１７に記載の方法。
２０．前記血液凝固データ検出装置が前記取り外し機構を含む場合に、
前記血液収容カップ蓋を前記回転軸から分離する前記ステップは、
駆動力の作用により取り外し機構を前記回転軸の端部へ運動させ、前記取り外し機構が前記回転軸端部に接続された前記血液収容カップ蓋を連動して前記回転軸に対して運動させて、前記血液収容カップ蓋を前記回転軸から脱離させて、前記血液収容カップ蓋を前記回転軸から分離するステップを含む、態様１７に記載の方法。
２１．外部に設置された第１支持アセンブリに固定された固定部、前記固定部に固定され、前記の外部に設置された第１支持アセンブリの１つの平面に密着している安定化プラットフォーム、及び前記固定部に固定され、前記第２固定接続部材と点接続の方式により一体に接続された接続部を備えた第１固定接続部材と、
外部に設置された第２支持アセンブリに固定的に接続された第２固定接続部材と、を含み、
外部動力の駆動で、前記の外部に設置された第１支持アセンブリが前記接続部と前記第２固定接続部材の点接続により前記の外部に設置された第２支持アセンブリに対して転動する接続アセンブリ。
２２．前記安定化プラットフォームと前記接続部が前記固定部の一端に設置されており、
前記安定化プラットフォームと前記固定部とが「逆Ｔ」状を構成し、前記安定化プラットフォームと前記接続部が「Ｔ」状を構成しており、前記固定部の前記安定化プラットフォームに対する第１垂直中心線が前記接続部の前記安定化プラットフォームに対する第２垂直中心線と重なり合っている、態様２１に記載の接続アセンブリ。
２３．前記固定部が前記の外部に設置された第１支持アセンブリの１つの平面により前記第１支持アセンブリに挿入され、前記安定化プラットフォームが前記第１平面に密着している、態様２１に記載の接続アセンブリ。
２４．前記接続部は宝石軸受を含み、前記第２固定接続部材は頂部錐体を含み、
又は、
前記接続部は頂部錐体を含み、前記第２固定接続部材は宝石軸受を含み、
前記宝石軸受は餅状構造であり、餅状構造の１つの平面に錐体形凹溝が設置されており、前記頂部錐体は錐体状構造であり、前記頂部錐体の先端が前記宝石軸受における錐体形凹溝に位置し、前記頂部錐体と前記宝石軸受が点接触の方式により接続されている、態様２１−２３のいずれか一項に記載の接続アセンブリ。
２５．その中の第１固定接続部材と第２固定接続部材が点接続の方式により一体に接続された態様２１−２４のいずれか一項に記載の接続アセンブリと、
前記接続アセンブリにおける第１固定接続部材を固定し、その中の１つの平面が前記第１固定接続部材における安定化プラットフォームに密着している、被支持物に固定的に接続されるための第１支持アセンブリと、
前記接続アセンブリにおける第２固定接続部材を固定する第２支持アセンブリとを含み、
前記被支持物の駆動で、前記第１支持アセンブリは前記第１固定接続部材により前記第２支持アセンブリに対して転動するブラケット。
２６．前記第１支持アセンブリは「凹」状平面と、「凹」状平面の凹溝に位置し前記凹溝と共に「段差」状を構成した挿入孔とを含み、
前記第１固定接続部材の固定部が前記挿入孔に挿入され、前記第１固定接続部材の安定化プラットフォームが前記凹溝に密着している、態様２５に記載のブラケット。
２７．態様２５又は２６に記載のブラケットと、前記ブラケットにおける第１支持アセンブリに固定的に接続され、外部動力の駆動で前記第１支持アセンブリを連動して転動させる被支持物とを含む血液凝固データ検出装置。
２８．血液凝固データ検出装置に応用され、前記被支持物は、前記ブラケットにおける前記第１支持アセンブリに固定的に接続されており、被検血液の駆動で前記第１支持アセンブリを連動して転動させる回転軸を含む、態様２７に記載の装置。
２９．被支持物をブラケットにおける第１支持アセンブリに固定的に接続し、前記被支持物が外部動力に駆動されるステップと、
前記被支持物が前記第１支持アセンブリを駆動して転動させるステップとを含む態様２７又は２８に記載の血液凝固データ検出装置の使用方法。
３０、血液凝固データ検出装置に応用され、前記被支持物は、回転軸を含み、
前記被支持物が外部動力に駆動されるステップは、記回転軸を被検血液に置き、且つ前記被検血液が転動する時に駆動されるステップを含み、及び／又は、
前記被支持物が前記第１支持アセンブリを駆動して転動させるステップの後、更に、前記回転軸が回転角度を提供するステップを含む、態様２９に記載の使用方法。
３１．前記血液収容カップに収容された血液について血液凝固分析を行うための血液凝固データ検出装置と、
被検血液を収容するための血液収容カップと、を含む血液凝固データ検出システム。
３２．前記血液収容カップは、
液体を収容するための容器と、
前記容器と接触し、前記容器に収容された液体を加熱するための少なくとも１つの加熱器と、
前記少なくとも１つの加熱器に接続されており、それぞれの加熱器の現在温度を採集し、それぞれの加熱器の現在温度と予め記憶された設定温度に基づいて前記のそれぞれの加熱器について加熱制御を行うための温度制御器と、を含む、態様３１に記載のシステム。
３３．前記温度制御器は、
前記少なくとも１つの加熱器に一つずつに対応して接続されており、接続された加熱器の現在温度を採集し、採集したそれぞれの加熱器の現在温度を比較器に出力するための少なくとも１つの温度センサーと、
前記少なくとも１つの温度センサーに接続され、前記少なくとも１つの加熱器に接続されており、それぞれの加熱器の現在温度と予め記憶された前記設定温度に基づいてそれぞれの加熱器について対応する加熱制御を行うための前記比較器と、を含む、態様３２に記載のシステム。
３４．前記温度センサーは、接続された加熱器の現在温度に基づいて信号変換器に現在電気抵抗値を出力するためのサーミスターを含み、
前記温度制御器は、前記少なくとも１つのサーミスターに接続され、前記比較器に接続されており、それぞれのサーミスターの出力した現在電気抵抗値に基づいて前記比較器にそれぞれの加熱器の現在温度を出力するための前記信号変換器を更に含む、態様３２に記載のシステム。
３５．前記回転軸の一端に接続されており、前記回転軸を支持して前記回転軸の他端を外部の被検血液に置くためのブラケットと、
前記被検血液の駆動作用で転動する回転軸と、
前記回転軸に接続されており、前記回転軸が転動して平衡位置からずれた時に前記回転軸を前記平衡位置方向へ転動させる作用力を発生させるための位置修正装置と、を含む血液凝固データ検出装置。
３６．前記位置修正装置は、それぞれの内環が前記回転軸の外円周面に固定的に接続され、それぞれの外環が前記ブラケットに固定的に接続された少なくとも１つのヘアスプリングを含むことを特徴とする、態様３５に記載の装置。
３７．前記位置修正装置が少なくとも２つのヘアスプリングを含む場合に、
前記少なくとも２つのヘアスプリングのうち、少なくとも１つのヘアスプリングの内環から外環へのヘリックス方向が他方のヘアスプリングの内環から外環へのヘリックス方向と反対であることを特徴とする、態様３６に記載の装置。
【０１３５】
本発明の主旨と新規な特徴を逸脱しない限り、本発明は他の形式により実施することができる。本出願に開示された各実施例は制限的でなく、例示的なものとして全ての態様において考えられるべきである。本発明の範囲は、上記説明により規定されるというわけでなく、添付された各態様により規定され、各態様の同等の意義と均等の範囲の内に行った変更は全て本発明の保護範囲に含まれる。
【図１】
2019516115.tif 000003
【図２】
2019516115.tif 000004
【図３】
2019516115.tif 000005
【図４】
2019516115.tif 000006
【図５】
2019516115.tif 000007
【図６】
2019516115.tif 000008
【図７】
2019516115.tif 000009
【図８】
2019516115.tif 000010
【図９】
2019516115.tif 000011
【図１０】
2019516115.tif 000012
【図１１】
2019516115.tif 000013
【図１２】
2019516115.tif 000014
【図１３】
2019516115.tif 000015
【図１４】
2019516115.tif 000016
【図１５】
2019516115.tif 000017
【図１６】
2019516115.tif 000018
【図１７】
2019516115.tif 000019
【図１８】
2019516115.tif 000020
【図１９】
2019516115.tif 000021
【図２０】
2019516115.tif 000022
【図２１】
2019516115.tif 000023
【図２２】
2019516115.tif 000024
【図２３】
2019516115.tif 000025
【図２４】
2019516115.tif 000026
【国際調査報告】
2019516115.tif 000027
2019516115.tif 000028
2019516115.tif 000029
2019516115.tif 000030
2019516115.tif 000031
2019516115.tif 000032
2019516115.tif 000033
2019516115.tif 000034